(57)【特許請求の範囲】
【請求項１】
所定の制御情報および静止画ビデオオブジェクトを記録できる情報記憶媒体において、前記情報記憶媒体は、１以上の静止画で構成される静止画ビデオオブジェクトのグループと、所定の付加オーディオ情報を記録するように構成され、前記静止画ビデオオブジェクト内には副映像情報を含む副映像ストリームが記録可能に構成され、この静止画ビデオオブジェクトはビデオパートとオーディオパートを含み、このオーディオパートは関連する前記ビデオパートの直後に記録されるように構成され、前記制御情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が関連する前記ビデオパートおよび前記オーディオパートに対するアクセス情報を含むように構成され、更に、前記静止画ビデオオブジェクトのエントリ情報が付加オーディオ情報のグループ番号を示す付加オーディオグループ番号情報と前記付加オーディオ情報のエントリ番号を示す付加オーディオエントリ番号情報を含むように構成され、前記エントリ情報が、前記静止画ビデオオブジェクトのエントリタイプ情報を含むように構成され、このエントリタイプ情報が、前記副映像ストリームの数を記述する副映像ストリーム情報をさらに含むように構成され、
前記ビデオパートを含む映像情報の基本単位をビデオオブジェクトユニットとしたときに、１つの前記静止画ビデオオブジェクトが１つの前記ビデオオブジェクトユニットで構成される情報記憶媒体。
【請求項２】
所定の制御情報および静止画ビデオオブジェクトを記録できる情報記憶媒体であり、この情報記憶媒体は１以上の静止画で構成される静止画ビデオオブジェクトのグループと所定の付加オーディオ情報を記録するように構成され、前記静止画ビデオオブジェクト内には副映像情報を含む副映像ストリームが記録可能に構成され、この静止画ビデオオブジェクトはビデオパートとオーディオパートを含み、このオーディオパートは関連する前記ビデオパートの直後に記録されるように構成され、前記制御情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が関連する前記ビデオパートおよび前記オーディオパートに対するアクセス情報を含むように構成され、更に、前記静止画ビデオオブジェクトのエントリ情報が付加オーディオ情報のグループ番号を示す付加オーディオグループ番号情報と前記付加オーディオ情報のエントリ番号を示す付加オーディオエントリ番号情報を含むように構成され、前記エントリ情報が前記静止画ビデオオブジェクトのエントリタイプ情報を含むように構成され、このエントリタイプ情報が前記副映像ストリームの数を記述する副映像ストリーム情報をさらに含み、前記ビデオパートを含む映像情報の基本単位をビデオオブジェクトユニットとしたときに１つの前記静止画ビデオオブジェクトが１つの前記ビデオオブジェクトユニットで構成される情報記憶媒体に対して情報記録を行う記録方法であって、
前記情報記憶媒体に前記静止画ビデオオブジェクトを記録し、前記制御情報内に、前記副映像ストリーム情報を含む前記エントリ情報を記録する記録方法。
【請求項３】
所定の制御情報および静止画ビデオオブジェクトが記録される情報記憶媒体であり、この情報記憶媒体は１以上の静止画で構成される静止画ビデオオブジェクトのグループと所定の付加オーディオ情報を記録するように構成され、前記静止画ビデオオブジェクト内には副映像情報を含む副映像ストリームが記録可能に構成され、この静止画ビデオオブジェクトはビデオパートとオーディオパートを含み、このオーディオパートは関連する前記ビデオパートの直後に記録されるように構成され、前記制御情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が関連する前記ビデオパートおよび前記オーディオパートに対するアクセス情報を含むように構成され、更に、前記静止画ビデオオブジェクトのエントリ情報が付加オーディオ情報のグループ番号を示す付加オーディオグループ番号情報と前記付加オーディオ情報のエントリ番号を示す付加オーディオエントリ番号情報を含むように構成され、前記エントリ情報が前記静止画ビデオオブジェクトのエントリタイプ情報を含むように構成され、このエントリタイプ情報が前記副映像ストリームの数を記述する副映像ストリーム情報をさらに含み、前記ビデオパートを含む映像情報の基本単位をビデオオブジェクトユニットとしたときに１つの前記静止画ビデオオブジェクトが１つの前記ビデオオブジェクトユニットで構成される情報記憶媒体から情報再生を行う再生方法であって、
前記副映像ストリーム情報を含む前記エントリ情報が記録された前記制御情報を再生し、そして前記静止画ビデオオブジェクトを再生する再生方法。
【請求項４】
所定の制御情報および静止画ビデオオブジェクトが記録される情報記憶媒体であり、この情報記憶媒体は１以上の静止画で構成される静止画ビデオオブジェクトのグループと所定の付加オーディオ情報を記録するように構成され、前記静止画ビデオオブジェクト内には副映像情報を含む副映像ストリームが記録可能に構成され、この静止画ビデオオブジェクトはビデオパートとオーディオパートを含み、このオーディオパートは関連する前記ビデオパートの直後に記録されるように構成され、前記制御情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が関連する前記ビデオパートおよび前記オーディオパートに対するアクセス情報を含むように構成され、更に、前記静止画ビデオオブジェクトのエントリ情報が付加オーディオ情報のグループ番号を示す付加オーディオグループ番号情報と前記付加オーディオ情報のエントリ番号を示す付加オーディオエントリ番号情報を含むように構成され、前記エントリ情報が前記静止画ビデオオブジェクトのエントリタイプ情報を含むように構成され、このエントリタイプ情報が前記副映像ストリームの数を記述する副映像ストリーム情報をさらに含み、前記ビデオパートを含む映像情報の基本単位をビデオオブジェクトユニットとしたときに１つの前記静止画ビデオオブジェクトが１つの前記ビデオオブジェクトユニットで構成される情報記憶媒体から情報再生を行う再生装置であって、
前記情報記録媒体から前記制御情報を再生する手段と、
前記情報記録媒体から前記コンテンツデータを再生する手段を具備した再生装置。
【請求項５】
前記前記情報記憶媒体に記録される前記制御情報および前記コンテンツデータが、ハードウエアに読み込まれて再生処理されるように構成された請求項１に記載の情報記憶媒体。
【発明の詳細な説明】
【技術分野】
【０００１】
この発明は、動画や静止画などの映像情報を含むデジタル情報の管理システムに関する。
【背景技術】
【０００２】
静止画情報をデジタル記録するものとしてデジタルカメラがある。デジタル記録される静止画情報は、デジタルカメラ以外に、動画情報をデジタル記録／再生するＤＶＤ（デジタル・バーサタイル・ディスク）ビデオにおいても、メニュー画像などに利用されている（例えば特許文献１参照）。
【特許文献１】特開平９−１８２０１３号公報。
【発明の開示】
【発明が解決しようとする課題】
【０００３】
デジタルカメラでは、撮影した１枚１枚の静止画は別々のファイルとして収納される。このように１枚毎の静止画情報が個々のファイルに分割して保存されている場合、以下のような不都合が生じる。
【０００４】
すなわち、
ａ）類似した静止画内容あるいは同時期に撮影した静止画毎にグルーピングされていないので、個々の静止画の管理および検索が煩雑になる。たとえば、個々の静止画情報内容を確認するのに別々にファイルを開く必要があるので、内容確認に手間がかかる。
【０００５】
ｂ）録画／再生可能なＤＶＤ＿ＲＴＲ（リアルタイム・レコーディング）システムの中で複数の静止画情報も扱おうとする場合、ＤＶＤビデオシステムとの間で互換性・継続性が保てなくなる。
【０００６】
この発明は上記事情に鑑みなされたもので、その目的は、映像情報を含むデジタル情報の管理システムを提供することである。
【０００７】
あるいは、その目的は、ＤＶＤビデオとある程度の互換性・継続性を確保したＤＶＤ＿ＲＴＲの録画／再生システムにおいて、動画と静止画との間で記録フォーマットおよび管理情報の一貫性あるいは継続性を確保しながら、複数の静止画情報を取り扱うことができるデジタル情報の管理システムを提供することである。
【課題を解決するための手段】
【０００８】
この発明に係る管理システムで用いられる情報記録媒体（図１の１００１）には、所定の制御情報（図３９のＲＴＲ＿ＶＭＧ）および１以上の静止画（図４１のＢ１〜Ｂ１６２）を含む１以上のプログラム（図４１のＰＧ＃２その他）が記録可能となっている。
【０００９】
前記所定の制御情報（図３９のＲＴＲ＿ＶＭＧ／ＰＧＩ／ＰＧ＿ＴＹ）内に、前記プログラム（図４１のＰＧ＃２）の単位で、前記プログラムの消去を禁止する（書替可能な）プロテクト情報が格納可能となっている。
【００１０】
また、この発明に係る管理システムで用いられる情報記憶媒体（図１の１００１）には、所定の制御情報（図３９のＲＴＲ＿ＶＭＧ）および１以上の静止画（図４１のＢ１〜Ｂ８０；Ｂ８１〜Ｂ９９；Ｂ１００〜Ｂ１６２）で構成されるビデオオブジェクトのグループ（図４１のＶＯＧ＃Ｂ、ＶＯＧ＃Ｅ、ＶＯＧ＃Ｆ）を含む１以上のプログラム（図４１のＰＧ＃２その他）が記録可能となっている。
【００１１】
前記所定の制御情報（図４０のＲＴＲ＿ＶＭＧ／Ｓ＿ＶＯＧＩ＃／Ｓ＿ＶＯＢ＿ＥＮＴ＿ＴＹ）内に、前記ビデオオブジェクトのグループ（図４１のＶＯＧ＃Ｃ、ＶＯＧ＃Ｆ）を含む単位で、前記ビデオオブジェクトのグループを仮消去状態に設定する（書替可能な）仮消去情報（図４０のＴＥ）が格納可能となっている。
【００１２】
また、この発明に係る管理システムで用いられる情報記憶媒体（図１の１００１）には、所定の制御情報（ＲＴＲ＿ＶＭＧ）を記録できる第１の記録エリア（図１ｄの１０１１）および静止画データを記録できる第２の記録エリア（図１ｄの１０１３）が設けられる。
【００１３】
この発明では、前記第１の記録エリア（図１ｄの１０１１）および前記第２の記録エリア（図１ｄの１０１３）の少なくとも一方に（つまり第１および／または第２の記録エリアに）、未記録エリア（図４の１４６０）を設定できるようになっている。この未記録エリアの情報記憶媒体上における位置分布は、位置分布情報（図５の１６２１）を設けることで、特定できる。この位置分布情報（図５の１６２１）は、前記第１の記録エリア（図１ｄの１０１１）および前記第２の記録エリア（図１ｄの１０１３）内に存在する未記録エリア（図４の１４６０）に関する管理情報（図５の１６２１）であるといえる。
【００１４】
また、この発明に係るプロテクト情報管理方法では、前記所定の制御情報（図３９のＲＴＲ＿ＶＭＧ／ＰＧＩ／ＰＧ＿ＴＹ）内に、前記プログラム（図４１のＰＧ＃２）の単位で、前記プログラムの消去を禁止する書替可能なプロテクト情報を書き込むように構成している。
【００１５】
また、この発明に係るプロテクト情報管理方法では、前記所定の制御情報（図４０のＲＴＲ＿ＶＭＧ／Ｓ＿ＶＯＧＩ＃／Ｓ＿ＶＯＢ＿ＥＮＴ＿ＴＹ）内に、前記ビデオオブジェクトのグループ（図４１のＶＯＧ＃Ｃ、ＶＯＧ＃Ｆ）を含む単位で、前記ビデオオブジェクトのグループを仮消去状態に設定する書替可能な仮消去情報（図４０のＴＥ）を書き込むように構成している。
【００１６】
また、この発明に係るプログラムの消去禁止状態変更方法では、複数の静止画（図４１のＢ１〜Ｂ１６２）を含む所定のプログラム（図４１のＰＧ＃２）が消去禁止状態（図３９のプロテクト情報が１ｂ）にある場合において、
前記所定のプログラム（ＰＧ＃２）の消去禁止状態が変更される（図４１では消去禁止範囲＝プロテクト範囲がＢ１〜Ｂ１６２からＢ１〜Ｂ８０に変更される）場合は、
前記ビデオオブジェクトのグループ（ＶＯＧ＃Ｂ）を構成する静止画の組み合わせが再編成され（図４２のＳＴ１０２、ＳＴ１０４、ＳＴ１０８；図４１のＶＯＧ＃Ｂ＝Ｂ１〜Ｂ１６２が、ＶＯＧ＃Ｂ＝Ｂ１〜Ｂ８０と、ＶＯＧ＃Ｅ＝Ｂ８１〜Ｂ９９と、ＶＯＧ＃Ｆ＝Ｂ１００〜Ｂ１６２に再編成される）、
再編成後のビデオオブジェクトのグループ（ＶＯＧ＃Ｂ、ＶＯＧ＃Ｅ、ＶＯＧ＃Ｆ）それぞれに対して、新たにプログラム番号が割り振られる（図４２のＳＴ１０２、ＳＴ１０６、ＳＴ１１０；ＶＯＧ＃Ｂ＝ＧＰ＃２、ＶＯＧ＃Ｅ＝ＰＧ＃４、ＶＯＧ＃Ｆ＝ＰＧ＃５の一部）。
【発明の効果】
【００１７】
この発明によれば、動画や静止画を含むデジタル情報の管理システムを改善できる。
【発明を実施するための最良の形態】
【００１８】
以下、図面を参照して、この発明の一実施の形態を説明する。
【００１９】
図１の（ａ）〜（ｆ）は、この発明の一実施の形態に係る情報記録媒体のデータ構造を説明する図である。
【００２０】
［１］情報記憶媒体上のデータ概略構造
映像情報あるいは音楽情報の記録・再生が可能な情報記憶媒体として、図１（ａ）に示すようなＤＶＤ＿ＲＴＲディスク（相変化を利用した光ディスク）１００１がある。このディスク１００１に記録される情報の記録情報内容（データ構造）について、以下に説明する。
【００２１】
光ディスク１００１に記録される情報の概略的なデータ構造は、図１（ｂ）に示すように、内周側１００６から順に
・光反射面が凹凸形状をしたエンボスデータゾーンと、表面が平坦（鏡面）なミラーゾーンと、情報の書き換えが可能なリライタブルデータゾーンを有するリードインエリア１００２；
・ユーザーによる記録・書き換えが可能なリライタブルデータゾーンに記録されるものであって、オーディオ・ビデオデータ（ＡＶデータ）のファイルまたはボリューム全体に関する情報が格納されたボリューム・ファイル管理情報１００３；
・ユーザーによる記録・書き換えが可能なリライタブルデータゾーンからなるデータエリア１００４；
・情報の書き換えが可能なリライタブルデータゾーンで構成されるリードアウトエリア１００５；
に分かれている。
【００２２】
リードインエリア１００２のエンボスデータゾーンには、
・ＤＶＤ−ＲＯＭ／ＤＶＤ−ＲＡＭ／ＤＶＤ−Ｒなどのディスクタイプ、ディスクサイズ、記録密度、記録開始／記録終了位置を示す物理セクタ番号などの情報記憶媒体全体に関する情報；
・記録パワーと記録パルス幅、消去パワー、再生パワー、記録・消去時の線速などの記録・再生・消去特性に関する情報；
・製造番号などそれぞれ１枚ずつの情報記憶媒体の製造に関する情報；
が事前に記録される。
【００２３】
リードインエリア１００２のリライタブルデータゾーンとリードアウトエリア１００５のリライタブルデータゾーンは、それぞれ、
・各情報記憶媒体ごとの固有ディスク名記録エリア、
・試し記録エリア（記録消去条件の確認用）、
・データエリア１００４内の欠陥領域に関する管理情報記録エリア
を持ち、上記領域へ情報記録再生装置による記録が可能になっている。
【００２４】
リードインエリア１００２とリードアウトエリア１００５の間に挟まれたデータエリア１００４には、図１（ｃ）に示すように、コンピュータデータとオーディオ・ビデオデータ（ＡＶデータ）の混在記録が可能になっている。
【００２５】
コンピュータデータとオーディオ・ビデオデータの記録順序、各記録情報サイズは任意である。ここで、コンピュータデータが記録されてある場所をコンピュータデータエリア１００８、１０１０と呼びオーディオ・ビデオデータが記録された領域をオーディオ・ビデオデータエリア１００９と名付ける。
【００２６】
オーディオ・ビデオデータエリア１００９内に記録された情報のデータ構造は、図１（ｄ）のように、
・制御情報のためのアンカーポインタ１０１５：オーディオ・ビデオデータエリア１００９内の最初の位置に配置され、オーディオ・ビデオデータエリア１００９内の制御情報１０１１が記録されている先頭位置（先頭アドレス）を示す情報；
・制御情報１０１１：録画（録音）、再生、編集、検索の各処理を行う時に必要な制御情報；
・ビデオオブジェクト１０１２：ビデオデータの中身（コンテンツ）の録画情報；
・ピクチャオブジェクト１０１３：静止画、スライド画像などの静止画情報；
・オーディオオブジェクト１０１４：オーディオデータの中身（コンテンツ）の録音情報；
・サムネールオブジェクト１０１６：ビデオデータ内の見たい場所を検索する場合、または編集時に利用されるサムネール（Thumbnail）などの縮小画像情報；
などから構成される。
【００２７】
図１（ｄ）のビデオオブジェクト１０１２、ピクチャオブジェクト１０１３、オーディオオブジェクト１０１４、サムネールオブジェクト１０１６は、それぞれ、コンテンツ内容（データの中身）毎に分類した情報の集まり（グループ）を意味している。
【００２８】
したがって、オーディオ・ビデオデータエリア１００９に記録された全ての映像情報はビデオオブジェクト１０１２に含まれ、全静止画情報はピクチャオブジェクト１０１３に含まれ、全オーディオ・音声情報はオーディオオブジェクト１０１４に含まれ、映像情報の管理・検索に用いられる全サムネール情報はサムネールオブジェクト１０１６に含まれる。
【００２９】
後述する図３で示したビデオオブジェクトＶＯＢ１４０３は、ＡＶファイル（オーディオ／ビデオのファイル）１４０１内に記録された情報の塊（まとまり）を示し、図１（ｄ）のビデオオブジェクト１０１２とは異なる定義になっている。類似した用語を用いているが、全く異なる意味で使用しているので注意が要する。
【００３０】
さらに制御情報１０１１の内容は、図１（ｅ）に示すように、
・ＡＶデータ制御情報１１０１：ビデオオブジェクト１０１２内のデータ構造を管理し、また情報記憶媒体である光ディスク１００１上での記録位置に関する情報の管理情報；
・再生制御情報１０２１：再生時に必要な制御情報；
・記録制御情報１０２２：記録（録画・録音）時に必要な制御情報；
・編集制御情報１０２３：編集時に必要な制御情報；
・サムネール制御情報１０２４：ビデオデータ内の見たい場所検索用または編集用サムネール（サムネールオブジェクト）に関する管理情報；
などを有している。
【００３１】
なお、図１（ｅ）の制御情報１１０１、１０２１は、図２のＲＴＲ．ＩＦＯおよび図２３のＲＴＲ＿ＶＭＧに対応している。
【００３２】
また図１（ｅ）に示されているＡＶデータ制御情報１１０１内のデータ構造は、図１（ｆ）に示すように、
・アロケーションマップテーブル１１０５：情報記憶媒体（光ディスク１００１）上の実際の配置に沿ったアドレス設定、既記録・未記録エリアの識別などに関する情報；
・ビデオタイトルセット情報ＶＴＳＩ１１０６：図３に示すようなＡＶファイル１４０１内の全体的な情報内容を示し、各ＶＯＢ間のつながり情報、管理・検索のための複数ＶＯＢのグルーピング情報やタイムマップテーブルなどの時間情報（図８のＲＴＲ＿ＶＭＧＩに対応）；
・ビデオオブジェクト情報１１０７：図３（ｄ）に示すようなＡＶファイル１４０１内の各ＶＯＢ個々に関する情報を示し、ＶＯＢ毎の属性（特性）情報やＶＯＢ内に含まれる個々のＶＯＢＵに関する情報（図８のＭ＿ＡＶＦＩＴ／Ｓ＿ＡＶＦＩＴまたは図１２のＳ＿ＡＶＦＩＴに対応）；
・プログラムチェーン制御情報１１０３：映像情報再生プログラム（シーケンス）に関する情報（図２３のＰＧＣＩに対応）；
・セル再生情報１１０８：再生時の映像情報基本単位のデータ構造に関する情報（図２３のＣＩまたは図２４のＳ＿ＣＩに対応）；
から構成されている。
【００３３】
図１の（ａ）〜（ｆ）を概説すると上記の内容になるが、個々の情報に対して以下に若干の説明補足を行う。
【００３４】
ボリューム・ファイル管理情報１００３には、
・ボリューム全体に関する情報；
・含まれるＰＣデータのファイル数、ＡＶデータに関するファイル数；
・記録レイヤー情報；
などに関する情報が記録されている。
【００３５】
特に、記録レイヤー情報として、
・構成レイヤー数（例：ＲＡＭ／ＲＯＭ２層ディスク１枚は２レイヤー、ＲＯＭ２層ディスク１枚も２レイヤー、片面ディスクｎ枚はｎレイヤーとしてカウントする）；
・各レイヤー毎に割り付けた論理セクタ番号範囲テーブル（各レイヤー毎の容量）；
・各レイヤー毎の特性（例：ＤＶＤ−ＲＡＭディスク、ＲＡＭ／ＲＯＭ２層ディスクのＲＡＭ部、ＣＤ−ＲＯＭ、ＣＤ−Ｒ  など）；
・各レイヤー毎のＲＡＭ領域でのゾーン単位での割付け論理セクタ番号範囲テーブル（各レイヤー毎の書換え可能領域容量情報も含む）；
・各レイヤー毎の独自のＩＤ情報（たとえば多連ディスクパック内のディスク交換を発見するための情報）；
が記録される。これにより、多連ディスクパックやＲＡＭ／ＲＯＭ２層ディスクに対しても連続した論理セクタ番号を設定して１個の大きなボリューム空間として扱えるようになっている。
【００３６】
再生制御情報１０２１では、
・ＰＧＣを統合した再生シーケンスに関する情報；
・上記に関連して情報記憶媒体をＶＴＲやＤＶＣのように一本のテープと見なした擬似的記録位置を示す情報（記録された全てのセルを連続して再生するシーケンス）；
・異なる映像情報を持つ複数画面同時再生に関する情報；
・検索情報（検索カテゴリー毎に対応するセルＩＤとそのセル内の開始時刻のテーブルが記録され、ユーザーがカテゴリーを選択して該当映像情報への直接アクセスを可能にする情報）；
などが記録されている。
【００３７】
また記録制御情報１０２２には、
・番組予約録画情報などが記録されている。
【００３８】
さらに、編集制御情報１０２３には、
・各ＰＧＣ単位の特殊編集情報（該当時間設定情報と特殊編集内容がＥＤＬ情報として記載されているもの）；
・ファイル変換情報（ＡＶファイル内の特定部分をＡＶＩファイルなどのＰＣ上で特殊編集を行えるファイルに変換し、変換後のファイル格納場所を指定するもの）；
が記録されている。
【００３９】
また、サムネール制御情報１０２４には、
・サムネールオブジェクト１０１６に関する管理情報  …  ＡＶデータエリア１００９内での１枚毎のサムネール画像の記録場所と各サムネール画像が関係するＶＯＢまたはセルの指定情報、各サムネール画像が関係するＶＯＢまたはセル内の場所情報など（ＶＯＢ、セルについては図３の内容説明場所で詳細に説明する）
が記載されている。
【００４０】
［２］データエリア内データファイルのディレクトリ構造
次に、ディレクトリ構造について説明する。図１（ｂ）のデータエリア１００４内に記録される全情報は、ファイル単位で記録される。各データファイル間の関係は、図２に示すようなディレクトリ構造により管理されている。
【００４１】
図２において、ルートディレクトリ１４５０の下には記録されるファイル内容毎に分類が容易なように複数のサブディレクトリ１４５１が設置されている。
【００４２】
図２の実施の形態では、図１（ｃ）のコンピュータデータエリア１００８、１０１０に記録されるコンピュータデータに関する各データファイルはコンピュータデータ保存用サブディレクトリ１４５７の下に記録され、オーディオ・ビデオデータエリア１００９  に記録されるオーディオ・ビデオデータはリライタブルビデオタイトルセットＲＷＶ_ＴＳ１４５２の下に記録される。
【００４３】
また、ＤＶＤビデオディスク（またはＤＶＤオーディオディスク）に記録されている映像情報を図１（ａ）のディスクにコピーする場合には、ビデオタイトルセットＶＩＤＥＯ_ＴＳ１４５５とオーディオタイトルセットＡＵＤＩＯ_ ＴＳ１４５６の下にコピーする。
【００４４】
図１（ｄ）の制御情報１０１１情報は録再ビデオ管理データとして１個のファイルとして記録される。図２の実施の形態ではそのファイル名はRWVIDEO_CONTROL.IFO（またはリアルタイム記録情報；略してＲＴＲ．ＩＦＯ）と名付けている。さらにバックアップ用に同一の情報をRWVIDEO_CONTROL.BUPというファイル名で記録してある。
【００４５】
図２の実施の形態では、図１（ｄ）のビデオオブジェクト（ＲＴＲ＿ＭＯＶ．ＶＲＯ）１０１２、ピクチャオブジェクト（ＲＴＲ＿ＳＴＯ．ＶＲＯ）１０１３、オーディオオブジェクト（ＲＴＲ＿ＳＴＡ．ＶＲＯ）１０１４、サムネールオブジェクト１０１６を全てＡＶファイル１４０１（図２の実施の形態でのファイル名はRWOBJECT.OB）として１個のファイルにまとめて記録している。
【００４６】
図１には図示してないが、映像の録画再生時に利用できる録再付加情報１４５４を同時に記録することができ、その情報はまとめて１個のファイルとして記録され、図２の実施の形態ではRWADD.DAT（図１２のＳ＿ＡＡ＿ＳＴＩ／Ｓ＿ＡＡＦＩまたは図２７のＡＡ＿ＥＮＴに対応）というファイル名が付いている。
【００４７】
［３］ＡＶファイル内のデータ構造
ＡＶファイル内のデータ構造の例を図３に示す。図３（ｂ）に示すようにＡＶファイル１４０１全体で１個のビデオタイトルセットＶＴＳ（またはＲＴＲムービーオブジェクトＲＴＲ＿ＭＯＶ．ＶＲＯ）１４０２を構成している。
【００４８】
ＶＴＳ・１４０２の中は、オーディオ・ビデオデータの内容やＡＶファイル１４０１内に記録された情報の順序に沿って複数パートオブタイトル（または複数チャプタ）１４０７、１４０８に分離された複数のビデオオブジェクトＶＯＢ１４０３、１４０４、１４０５の集まりから成り立っている。
【００４９】
図３（ｄ）のＶＯＢ１４０３、１４０４、１４０５は、ＡＶファイル１４０１内に記録されるオーディオ・ビデオデータのまとまりとして定義され、映像情報／静止画情報／オーディオ情報／サムネール情報などの分類項目的色彩の強い図１（ｄ）に示したビデオオブジェクト１０１２とは、異なる定義内容を有する。
【００５０】
したがって、図３（ｄ）のＶＯＢ１４０３、１４０４、１４０５の中にビデオオブジェクト１０１２に分類される情報が記録されているだけでなく、図１０に示すように、ピクチャオブジェクト１０１３やオーディオオブジェクト１０１４、サムネールオブジェクト１０１６に分類される情報も記録される。
【００５１】
各ＶＯＢ１４０３、１４０４、１４０５内に記録された情報内容（コンテンツ）を元に関連性のあるＶＯＢ毎にグルーピングが行なわれ、各グループ毎にパートオブタイトルＰＴＴ（またはチャプタ）１４０７、１４０８としてまとめられている。
【００５２】
つまりＰＴＴ１４０７、１４０８は、１個または複数個のＶＯＢの集合体として構成される。
【００５３】
図３（ｃ）の実施の形態ではＶＯＢ１４０４とＶＯＢ１４０５の２個のＶＯＢでＰＴＴ１４０８が構成され、ＰＴＴ１４０７は１個のＶＯＢ１４０３のみから構成されている。
【００５４】
映像情報の最小基本単位をビデオオブジェクトユニットＶＯＢＵ１４１１〜１４１４と呼び、ビデオオブジェクトＶＯＢ１４０３〜１４０５内のデータは図３（ｅ）に示すようにこのＶＯＢＵ１４１１〜１４１４の集合体として構成される。
【００５５】
ＶＯＢ１４０３〜１４０５での映像情報圧縮技術には、ＭＰＥＧ１あるいはＭＰＥＧ２が使用される場合が多い。
【００５６】
ＭＰＥＧでは映像情報をおよそ０．５秒刻みでグループオブピクチャＧＯＰと呼ばれるグループに分け、このＧＯＰ単位で映像情報の圧縮を行っている。このＧＯＰとほぼ同じサイズでＧＯＰに同期して、ビデオオブジェクトユニットＶＯＢＵ１４１１〜１４１４の映像情報圧縮単位が形成されている。
【００５７】
これらのＶＯＢＵ１４１１〜１４１４は、２０４８バイト単位のセクタ１４３１〜１４３７毎に分割されて記録される。各セクタ１４３１〜１４３７には、パック構造形式で記録がなされる。すなわち、パック毎に、生の映像情報、副映像情報、音声情報、ダミー情報が、それぞれ、ビデオパックＶ_ＰＣＫ１４２１,１４２５,１４２６,１４２７、副映像パックＳＰ_ＰＣＫ１４２２、オーディオパックＡ_ＰＣＫ１４２３、ダミーパックＤＭ_ＰＣＫ１４２４の形で、記録されている。
【００５８】
各パックのサイズは２０４８バイトであるが、その先頭に１４バイトのパックヘッダを持つため、各パック内に記録される情報量は２０３４バイトとなる。
【００５９】
ここでダミーパックＤＭ_ＰＣＫ１４２４は、録画後の追記情報の事後追加用に用いられる。たとえば、アフターレコーディング（アフレコ）情報をオーディオパックの中に入れてダミーパックと交換する、メモ情報を副映像パックに挿入してダミーパックと交換するなどの使用目的で、事前に挿入されている。
【００６０】
図１（ａ）に示した情報記憶媒体（光ディスク１００１）の一例であるＤＶＤ−ＲＡＭディスク（ＤＶＤ＿ＲＴＲディスク）の記録エリアは複数のセクタに分割されている。１セクタ当たり２０４８バイトのデータ量を記録できる。このＤＶＤ−ＲＡＭディスクではセクタ（２０４８バイト）単位での記録・再生を行う。したがって、情報記憶媒体（光ディスク１００１）としてＤＶＤ−ＲＡＭディスクを用いた場合、図３（ｆ）に示すように各パックはセクタ１４３１〜１４３７単位で記録される。
【００６１】
図３（ｂ）と（ｄ）に示すようにＡＶファイル１４０１内の全ＶＯＢ１４０３〜１４０５の一連のつながりでビデオタイトルセットＶＴＳ（またはＲＴＲ＿ＭＯＶ．ＶＲＯ）１４０２が構成されている。それに対して再生制御情報（パック制御情報）１０２１に記述された再生手順では任意のＶＯＢ内のしかも任意の範囲を指定し、しかも任意の再生順番で再生することが可能となっている。再生時の映像情報基本単位をセル１４４１、１４４２、１４４３と呼ぶ。
【００６２】
セル１４４１、１４４２、１４４３は任意のＶＯＢ内のしかも任意の範囲を指定することができるが、ＶＯＢをまたがって指定することはできない（１個のセルで複数のＶＯＢをつないで範囲を設定できない）。
【００６３】
図３（ｇ）の実施の形態では、セル１４４１はＶＯＢ１４０３内の１個のＶＯＢＵ１４１２を指定し、セル１４４２は１個のＶＯＢ１４０４全体を指定し、セル１４４３はＶＯＢＵ１４１４内の特定のパック（Ｖ＿ＰＣＫ１４２７）のみの範囲を指定している。
【００６４】
また映像情報再生シーケンスを示す情報はプログラムチェーンＰＧＣ１４４６により設定され、この再生シーケンスは１個のセル指定、もしくは複数のセルのつながり情報により記述される。たとえば図３（ｈ）の実施の形態ではプログラムチェーンＰＧＣ１４４６はセル１４４１とセル１４４２とセル１４４３のつながりとして再生プログラムを構成している（セルとＰＧＣの関係についての詳細説明は後述する）。
【００６５】
図３のＶＯＢ１４０３は、ビデオ情報のみならずオーディオ情報も含むことができるようになっている。この場合、ＶＯＢ１４０３を構成するＶＯＢＵ１４１１は、ビデオパートを構成するＶ＿ＰＣＫ１４２１およびＳＰ＿ＰＣＫ１４２２と、オーディオパートを構成するＡ＿ＰＣＫ１４２３およびＤＭ＿ＰＣＫ（アフターレコーディング用）１４２４とを含む。
【００６６】
ビデオパートは、Ｖ−ＰＣＫの先頭側の一部の内容で構成されるシーケンスヘッダおよびＧＯＰヘッダと、Ｖ＿ＰＣＫ群の内容で構成されるＭＰＥＧのＩピクチャと、Ｖ−ＰＣＫの末尾側の一部の内容で構成されるシーケンスエンドコードと、ＳＰ＿ＰＣＫの内容で構成される副映像ユニットＳＰＵとで形成されている（図３（ｊ）参照）。
【００６７】
また、オーディオパートは、ビデオパートのＩピクチャを用いた静止画再生に同期して再生されるオーディオデータを含むもので、１以上のオーディオフレームにより構成されている（図３（ｉ）参照）。
【００６８】
［４］アロケーションマップテーブル内容
次に、図１（ｆ）のアロケーションマップテーブル１１０５の内容について、図４を参照しながら説明する。
【００６９】
前述したようにＤＶＤ−ＲＡＭディスクの記録エリアは複数のセクタに分割され、内周側から順に昇順で連続して論理セクタ番号（ＬＳＮ）が付けられている。
【００７０】
いま、情報記憶媒体（光ディスク１００１）のデータエリア１００４内に以下の手順で映像情報を記録した場合を考える。
【００７１】
１．情報記憶媒体（光ディスク１００１）におけるデータエリア１００４内の論理セクタ番号ａ＋１からｇまでの連続領域（ａ＜ｇ）にＡＶファイル１４０１記録エリアを確保する。
【００７２】
２．ＡＶファイル１４０１記録エリア内の論理セクタ番号ｂ＋１からｃまでの連続領域（ｂ＜ｃ）にＶＯＢ＃１・１４６１のデータを記録する。
【００７３】
３．ＡＶファイル１４０１記録エリア内の論理セクタ番号ｄ＋１からｅまでの連続領域（ｄ＜ｅ）にＶＯＢ＃２・１４６２のデータを記録する。
【００７４】
上記１．から３．までの処理の結果、ＡＶファイル１４０１内には論理セクタ番号で“ａ＋１からｂまで”“ｃ＋１からｄまで”“ｅ＋１からｇまで”の３箇所の未記録エリアが残っている。
【００７５】
次にこの未記録エリアにデータサイズが大きなＶＯＢ＃３の映像情報を記録する場合、
４．ＡＶファイル１４０１記録エリア内の未記録エリアサイズに合わせてＶＯＢ＃３のデータを複数に分割する。
【００７６】
５．分割されたＶＯＢ＃３の最初のデータ１４６３を論理セクタ番号ａ＋１からｂまでの連続領域（ａ＜ｂ）に記録する。
【００７７】
６．分割されたＶＯＢ＃３の次のデータ１４６４を論理セクタ番号ｃ＋１からｄまでの連続領域（ｃ＜ｄ）に記録する。
【００７８】
７．分割されたＶＯＢ＃３の最後のデータ１４６５を論理セクタ番号ｆ＋１からｇまでの連続領域（ｆ＜ｇ）に記録する。
【００７９】
その結果、ＡＶファイル１４０１内には論理セクタ番号で“ｅ＋１からｆまで”の未記録エリア１４６０が残っている、
という処理が必要となる。
【００８０】
以上の１．から７．までの処理の結果得られたＡＶファイル１４０１内の各ＶＯＢの物理的記録位置分布を図４に示す。
【００８１】
上記の説明から分かるように、ＡＶファイル１４０１内のデータを部分消去したり、ＡＶファイル１４０１内の未記録エリアに新たなデータの追加記録を繰り返すと、ＶＯＢ＃３・１４６３、１４６４、１４６５の例のように１個のＶＯＢデータを複数箇所に分散記録する必要性が生じる。
【００８２】
このように同一のＡＶファイル１４０１内で分散記録された各データの各ＶＯＢ毎の物理的記録位置分布を示した情報が図１（ｆ）に示したアロケーションマップテーブル１１０５である。
【００８３】
なお、図４に示される例では、リアルタイム・レコーディングされるデータ（静止画オブジェクト等）に対して未記録エリア１４６０が設けられている。
【００８４】
しかし、このような未記録エリアは、静止画オブジェクト等のデータ専用に限定されない。たとえば図１（ｄ）の制御情報１０１１または図１（ｅ）のＲＴＲ＿ＶＭＧ（管理情報）の内容に対しても、図４に例示されるような未記録エリアを設けることができる。
【００８５】
このように制御情報（管理情報）にも適宜未記録エリアが設定可能になっていると、管理情報の一部が編集等で削除されても管理情報のその他の部分をいじらずに済むので、情報の管理を単純化できる。このことから、管理情報に対して要求される再生装置側のバッファメモリサイズを大幅に節約できる。
【００８６】
図４のデータ配置を具体例とした場合のアロケーションマップテーブル１１０５の情報内容を図５に示す。アロケーションマップテーブル１１０５は未記録エリアの位置分布情報１６２１と各ＶＯＢ毎のデータ記録位置分布情報１６２２、１６２３、１６２４から構成される。
【００８７】
各ＶＯＢ内において連続するセクタ番号のつながりが確保されている塊を“エクステント”と定義する。
【００８８】
図４の実施の形態ではＶＯＢ＃３のデータは３箇所のまとまりに分かれて記録されている。上記の例では論理セクタ番号（ＬＳＮ）ａ＋１からｂまでが連続するセクタ番号のつながりを持つのでこの領域はエクステント＃γ１４７３を構成している。つまりＶＯＢ＃３のデータが記録されている位置は、エクステント＃γ１４７３、エクステント＃δ１４７４、エクステント＃ε１４７５の３箇所に分布することになる。
【００８９】
図５に示したアロケーションマップテーブル１１０５内の未記録エリアと個々のＶＯＢに関する位置分布情報には、始めにエクステント数１６０１、１６０２、１６０３、１６０４が記録されている。その後、各エクステント毎の先頭アドレス１６０６、１６０７、１６０８、１６０９、１６１０、１６１１とそのエクステントサイズ１６１４、１６１５、１６１６、１６１７、１６１８、１６１９が記録されている。
【００９０】
先頭アドレスはＡＶファイル１４０１の先頭セクタ番号（論理セクタ番号）からの“差分番号”（または相対セクタ数）で表現されている。このように差分番号で表現すると、ＡＶファイル１４０１内容全体を別の情報記憶媒体に移植した時にアロケーションマップテーブル１１０５内の情報変更が不要となりファイルの移植性が向上する。
【００９１】
図５ではエクステントサイズをセクタ数で表現しているが、他の方法として、エクステントサイズをエクステントの最終アドレスで表現することも可能である。
【００９２】
ＤＶＤ−ＲＡＭディスク（またはＤＶＤーＲＴＲディスク）規格では、情報記憶媒体（光ディスク１００１）上の物理的なアドレスは物理セクタ番号（ＰＳＮ）で示される。また、ファイルシステムで扱う全体のアドレスは論理セクタ番号（ＬＳＮ）で示される。一方、図１（ａ）のデータエリア１００４内においてファイルシステム上で定義されるアドレスは、論理ブロック番号（ＬＢＮ）として区別されている。
【００９３】
しかし、上記記述方法（ＰＳＮとＬＳＮとＬＢＮを厳密に区別した記述方法）に忠実に従うと、説明内容が煩雑になる。そのため、図４〜図５では、理解の容易性を重視し、論理セクタ番号（ＬＳＮ）の表現で説明している。
【００９４】
なお、この発明に係る管理システムで用いられる情報記憶媒体（図１の１００１）には、所定の制御情報（ＲＴＲ＿ＶＭＧ）を記録する第１の記録エリア（図１ｄの１０１１）および静止画データを記録する第２の記録エリア（図１ｄの１０１３）を設けることができる。この第１の記録エリア（図１ｄの１０１１）および第２の記録エリア（図１ｄの１０１３）の少なくとも一方に（つまり第１および／または第２の記録エリアに）、未記録エリア（図４の１４６０）を設定できる。この未記録エリアの情報記憶媒体上における位置分布は、位置分布情報（図５の１６２１）により特定できる。
【００９５】
［５］再生制御情報１０２１内容
再生制御情報１０２１内容について図６と図７を用いて説明する。再生制御情報１０２１内のプログラムチェーンＰＧＣ制御情報１１０３は図６に示されるデータ構造を持ち、ＰＧＣとセルによって再生順序が決定される。ＰＧＣは、セルの再生順序を指定した一連の再生を実行する単位を示す。セルは、図３（ｆ）に示したように各ＶＯＢ内の再生データを開始アドレスと終了アドレスで指定した再生区間を示す。
【００９６】
プログラムチェーン制御情報１１０３は、ＰＧＣ情報管理情報（またはＰＧＣＩ管理情報）１０５２、1つ以上のＰＧＣ情報のサーチポインタ（またはＰＧＣＩサーチポインタ）１０５３、１０５４、およびＰＧＣ情報（ＰＧＣＩ）１０５５、１０５６、１０５７から構成される。
【００９７】
ＰＧＣ情報管理情報（またはＰＧＣＩ管理情報）１０５２には、プログラムチェーンＰＧＣの数を示す情報（ＰＧＣＮ）が含まれる。ＰＧＣ情報のサーチポインタ（またはＰＧＣＩサーチポインタ）１０５３、１０５４は、各ＰＧＣ情報（ＰＧＣＩ）の先頭をポイントしており、サーチを容易にする。
【００９８】
ＰＧＣ情報（ＰＧＣＩ）１０５５、１０５６、１０５７おのおのは、ＰＧＣ一般情報（ＰＧＣ＿ＧＩ）１０６１、１つ以上のプログラム情報（ＰＧＩ＃ｍ）、１つ以上のセルＩＤ（またはセル情報サーチポインタＣＩ＿ＳＲＰ＃ｍ）、および１つ以上のセル情報（ＣＩ＃ｎ）を含んでいる。
【００９９】
ＰＧＣ一般情報（ＰＧＣ＿ＧＩ）１０６１には、ＰＧＣの再生時間やセルの数を示す情報（セル再生情報の数）が含まれる。
【０１００】
あるいは、ＰＧＣ一般情報１０６１は、プログラムＰＧの数を示す情報（ＰＧ＿Ｎｓ）およびセル情報サーチポインタＣＩ＿ＳＲＰの数を示す情報（ＣＩ＿ＳＲＰ＿Ｎｓ）を含むことができる。
【０１０１】
図７（ａ）（ｂ）に示すように、再生データはセルとしてセルＡからセルＦまでの再生区間で指定され、各ＰＧＣにおいてＰＧＣ情報が定義されている。
【０１０２】
１．ＰＧＣ＃１は、連続する再生区間を指定したセルで構成される例を示し、その再生順序は、セルＡ→セルＢ→セルＣとなる。
【０１０３】
２．ＰＧＣ＃２は、断続された再生区間を指定したセルで構成される例を示し、その再生順序は、セルＤ→セルＥ→セルＦとなる。
【０１０４】
３．ＰＧＣ＃３は、再生方向や重複再生に関わらず飛び飛びに再生可能である例を示し、その再生順序は、セルＥ→セルＡ→セルＤ→セルＢ→セルＥとなる。
【０１０５】
図１または図２の制御情報（ＲＴＲ．ＩＦＯ）１０１１は、図１（ｅ）に示すように、制御情報１１０１および１０２１に対応するナビゲーションデータＲＴＲ＿ＶＭＧ（リアルタイムレコーディング・ビデオマネージャ）を含んでいる。そして、このＲＴＲ＿ＶＭＧは、図１（ｆ）に示すように、ビデオタイトルセット情報ＶＴＳＩ（またはＲＴＲ＿ＶＭＧの情報ＲＴＲ＿ＶＭＧＩ）１１０６を含んでいる。
【０１０６】
この情報（ＲＴＲ＿ＶＭＧＩ）１１０６は、図３のＶＯＢ１４０３、１４０４、１４０５、…のシーケンスを再生する際に利用される情報を含んでいる。
【０１０７】
以下、図８を参照して、図１のＲＴＲ＿ＶＭＧ（または図２のＲＴＲ．ＩＦＯ）とデータ構造とその内容を説明する。
【０１０８】
図８に示すように、ナビゲーションデータＲＴＲ＿ＶＭＧ（制御情報ＲＴＲ．ＩＦＯ）は、ＲＴＲビデオマネージャ情報（ＲＴＲ＿ＶＭＧＩ）と、ムービーＡＶファイル情報テーブル（Ｍ＿ＡＶＦＩＴ）と、静止画ＡＶファイル情報テーブル（Ｓ＿ＡＶＦＩＴ）と、オリジナルのＰＧＣ情報（ＯＲＧ＿ＰＧＣＩ）と、ユーザが定義したＰＧＣ情報のテーブル（ＵＤ＿ＰＧＣＩＴ）と、テキストデータマネージャ（ＴＸＴＤＴ＿ＭＧ）と、製造者に関する情報のテーブル（ＭＮＦＩＴ）とで構成されている。
【０１０９】
このＲＴＲ＿ＶＭＧに含まれるＲＴＲ＿ＶＭＧＩは図１（ｆ）のビデオタイトルセット（ＶＴＳ）情報１１０６に対応している。
【０１１０】
この情報（ＲＴＲ＿ＶＭＧＩ）１１０６は、図８に示すように、ＶＴＳ一般情報１７５１と、ＶＯＢシーケンス情報１７５２と、ＰＴＴ情報１７５３と、ＶＴＳタイムマップテーブル１７５４とを含んでいる。
【０１１１】
この情報（ＲＴＲ＿ＶＭＧＩ）１１０６は、別の視点から見ると、ＶＯＢシーケンス情報１７５２に対応したプレイリストサーチポインタテーブル（ＰＬ＿ＳＲＰＴ）と、ＶＴＳ一般情報１７５１に対応したビデオマネージャ情報管理テーブル（ＶＭＧＩ＿ＭＡＴ）とを含んでいる。
【０１１２】
このＰＬ＿ＳＲＰＴは、ＶＴＳ内のＶＯＢの数（またはプレイリストサーチポインタの数とＰＬ＿ＳＲＰＴのエンドアドレス）の情報１７５６と、ＶＯＢシーケンス内の最初のＶＯＢのＩＤ（または最初のプレイリストサーチポインタＰＬ＿ＳＲＰ＃１）の情報１７５７と、ＶＯＢシーケンス内の２番目のＶＯＢのＩＤ（または２番目のプレイリストサーチポインタＰＬ＿ＳＲＰ＃２）の情報１７５８、等を含んでいる。
【０１１３】
各プレイリストサーチポインタ（ＰＬ＿ＳＲＰ）は、プレイリストの形式を示す情報（ＰＬ＿ＴＹ）と、このプレイリストに対応するＰＧＣの番号情報（ＰＧＣＮ）と、このプレイリストが作成された日時の情報（ＰＬ＿ＣＲＥＡＴＥ＿ＴＭ）と、このプレイリストに関係したプライマリテキストの情報（ＰＲＭ＿ＴＸＴＩ）と、このプレイリストで利用されるアイテムテキストのサーチポインタの番号情報（ＩＴ＿ＴＸＴＩ＿ＳＲＰＮ）と、このプレイリストの録画内容に対応する縮小画像（サムネールピクチャ）を指し示すサムネールポインタ情報（ＴＨＭ＿ＰＴＲＩ）とを含んでいる。
【０１１４】
以上のような情報１７５６、１７５７、１７５８、…を含むテーブル（ＰＬ＿ＳＲＰＴ）が、ＶＴＳＩ（ＲＴＲ＿ＶＭＧＩ）１１０６に含まれるＶＯＢシーケンス情報１７５２に対応する。
【０１１５】
このＶＴＳＩ（ＲＴＲ＿ＶＭＧＩ）１１０６の内容をまとめると、以下のようになる：
［６］ビデオタイトルセット情報（ＶＴＳＩあるいはＲＴＲ＿ＶＭＧＩ）１１０６内容
ビデオタイトルセット情報（ＶＴＳＩあるいはＲＴＲ＿ＶＭＧＩ）１１０６内のデータ構造は図８に示すように
・ビデオタイトルセット一般情報１７５１  …
ビデオタイトルセット（あるいは図２のＡＶファイル１４０１のＲＴＲデータ）の一般的内容項目に関する情報；
・ビデオオブジェクトシーケンス情報１７５２  …
図３のデータ構造ではビデオタイトルセット１４０２（＝ＡＶファイル１４０１）内の全ＶＯＢに対してシリアルな順番が設定されており、このシーケンスに従った各ＶＯＢの順番情報がここに記述されている；
・パートオブタイトル情報１７５３  …
ＡＶファイル１４０１内に記録された各オブジェクトデータはデータ管理と検索を目的として関連のあるデータ毎にグルーピングされ、各グループ毎にビデオタイトル名が設定される。上記グループ（パートオブタイトルＰＴＴ）はＶＯＢの集合体で構成される。このパートオブタイトルＰＴＴ毎に含まれるＶＯＢ情報がここに記述されている；
・ビデオタイトルセットタイムマップテーブル１７５４  …
ビデオタイトルセット１４０２内のビデオオブジェクト１０１２とオーディオオブジェクト１０１４に分類されるＶＯＢに関して上記ビデオオブジェクトシーケンスに従った特定時間間隔毎のＶＯＢＵ位置情報；
が記録されている。
【０１１６】
ビデオオブジェクトシーケンス情報１７５２内の具体的なデータ構造は、図８の右側に示すように、始めにビデオタイトルセットに含まれる全ＶＯＢ数（あるいはプレイリストサーチポインタ情報ＰＬ＿ＳＲＰＴＩ）１７５６が記録されている。その後にビデオオブジェクトのシーケンス順にしたがって、順番に、該当するＶＯＢのＶＯＢ_ＩＤ１７５７、１７５８、…（またはＰＬ＿ＳＲＰ＃１、＃２、…＃ｎ）が記録されている。
【０１１７】
ビデオオブジェクトシーケンス情報１７５２で示されるシーケンスは、たとえば“ＡＶファイル１４０１への記録順（記録時刻の早い順）”、“図４に示したような情報記憶媒体（光ディスク）上の記録配列順”、“ＶＯＢサイズ順”などのように、ユーザーや情報記録再生装置側で任意に設定できる。
【０１１８】
ビデオタイトルセットＶＴＳ１４０２内の全ＶＯＢをシーケンシャルに順序付けることにより、１本のテープ上に映像を記録するＶＴＲと類似したユーザーインターフェースを提供することができる。
【０１１９】
たとえば、
・テープの早送り（ＦＦ）、巻き戻し（ＦＲ）により見たい場所を探す
・テープの早送り（ＦＦ）による全体の記録内容を確かめる
・テープの早送り（ＦＦ）、巻き戻し（ＦＲ）により既に録画された不要場所を探し、その不要場所に新しい映像情報を重ね書きする
などの処理をビデオオブジェクトシーケンス情報１７５２を利用して行うことができる。
【０１２０】
図８の右側に記載したビデオオブジェクトシーケンス情報１７５２情報内容について図９を用いて説明を行う。
【０１２１】
まず、情報記憶媒体（光ディスク１００１）上の配列順が図４に示した状態でＶＯＢ＃１〜ＶＯＢ＃３が記録され、この記録順番が、“［４］アロケーションマップテーブル内容”の項で説明済みの１．から７．の順にしたがってなされた場合を考える。
【０１２２】
これらのデータに対して、“ＡＶファイル１４０１への記録順（記録時刻の早い順）”でシーケンス順序を設定した場合のシーケンス順配列は、図９（ａ3）となる。この図を図４と比較すると、エクステント＃α１４７１からエクステント＃ζ１４７０までの配列順が変わっていることがわかる。
【０１２３】
図８の“ビデオオブジェクトシーケンスにおける最初のＶＯＢ_ＩＤ１７５７”は図９（ａ3）の“ＶＯＢ＃１・１４６１”を指定し、“ビデオオブジェクトシーケンスにおける２番目のＶＯＢ_ＩＤ１７５８”は図９（ａ3）の“ＶＯＢ＃２・１４６２”を指定している。
【０１２４】
図９（ｂ3）はビデオオブジェクトシーケンス情報１７５２で指定された別の実施の形態を示している。
【０１２５】
ＶＯＢ＃Ａ・１７７１、ＶＯＢ＃Ｂ・１７７２はビデオオブジェクト（ムービーＶＯＢ情報Ｍ＿ＶＯＢＩ＃）１０１２に属し（分類され）、ＶＯＢ＃Ｃ・１７７３、ＶＯＢ＃Ｆ・１７７６、ＶＯＢ＃Ｇ・１７７７はオーディオオブジェクト１０１４に属し（分類され）、ＶＯＢ＃Ｄ・１７７４〜ＶＯＢ＃Ｇ・１７７７はピクチャオブジェクト（静止画ＶＯＢグループ情報Ｓ＿ＶＯＧＩ＃）１０１３に属している。
【０１２６】
このようにＶＯＢの種類に依らず混在してシーケンス順序を指定できる。図９では最後にまとめてサムネールオブジェクト１０１６に属するＶＯＢ（ＶＯＢ＃Ｈ・１７７８、ＶＯＢ＃Ｉ・１７７９）が設定されている。
【０１２７】
［７］静止画情報（ピクチャオブジェクト）の記録フォーマット
図１（ａ）に示した情報記憶媒体（光ディスク１００１）上に静止画情報を記録する時の記録形式（記録フォーマット）を以下に説明する。
【０１２８】
静止画情報あるいは静止画情報に対して後で付加する音声情報（個々の静止画情報に対する説明が音声入力され、これがアフターレコーディングで追加記録された情報）は図１（ｄ）のピクチャオブジェクト１０１３あるいはオーディオオブジェクト１０１６の場所に記録される。
【０１２９】
この静止画情報記録フォーマットは、デジタルカメラ等で撮影された複数枚の静止画が一度に情報記憶媒体（光ディスク１００１）上に記録される場合に対応しており、複数枚の静止画を連続して記録できるようになっている。この連続記録を可能にするため、少なくとも２枚の静止画が情報記憶媒体（光ディスク１００１）上の隣接する場所に続いて記録されるフォーマットになっている。
【０１３０】
この静止画情報記録フォーマットは、静止画もしくは静止画に付加される音声情報も、映像情報（ビデオオブジェクト１０１２）とのフォーマット継続性や整合性を重視し、図３のデータ構造を踏襲している。
【０１３１】
映像情報の記録フォーマット（映像情報圧縮フォーマット）の一種であるＭＰＥＧ１あるいはＭＰＥＧ２では、前述したＧＯＰの先頭位置に対応するビデオフレーム１枚分の圧縮情報が“Ｉ−ピクチャ”の形で存在する。
【０１３２】
入力された静止画はＭＰＥＧ１あるいはＭＰＥＧ２の圧縮技術を利用してＩ−ピクチャ１７０６、１７０７、１７０８、１７０９に変換され、図１０（ａ３）あるいは図１０（ｃ３）に示すように、Ｖ_ＰＣＫ（ビデオパック）１６６１、１６６２、１６６３、１６６８、１６６９、１６７０、１６７１、１６７２、１６７３、１６７４内に収納されて情報記憶媒体（光ディスク１００１）上に記録される。
【０１３３】
前述したように、ＤＶＤ−ＲＡＭ（ＤＶＤ＿ＲＴＲ）ディスクでは、各Ｖ_ＰＣＫ（ビデオパック）は、記録サイズが２０３４バイトのセクタ毎に記録される（図３（ｆ）参照）。（１セクタサイズは２０４８バイトであるが、１４バイト毎のパックヘッダがあるため１パック内の記録量は２０３４バイトとなる。）
１枚の静止画情報に対応するＩ−ピクチャサイズが２０３４バイトの整数倍に対して足りない部分には、ダミー情報１７０４が記録される。これにより、各Ｉ−ピクチャは、整数セクタ内にぴたりと収まるようになる。
【０１３４】
各ＶＯＢＵ内のＩ−ピクチャサイズ１８０８は、図１３に示すようにピクチャオブジェクト用ＶＯＢＵマップの情報内に記録されているので（詳細は後述）、Ｖ_ＰＣＫ１６７０内の何処からダミー情報１７０４が入るか分かる。したがって、ダミー情報１７０４の内容は任意に設定することができる。
【０１３５】
ダミー情報１７０４の内容としては、全て“０”または全て“１”と設定されるパディングデータ以外に、その部分を再生するだけで「ダミーである」と分かる特定の情報としてシーケンス・エンド・コード（あるいはストリームＩＤ＝０ｘｂｅのパケットヘッダ）などを記録することができる。
【０１３６】
なお、図１０（ｂ３）および図１０（ｄ３）ではＩ−ピクチャの配置を省略したが、これらは図１０（ａ３）および図１０（ｃ３）と同じ構造になっている。
【０１３７】
たとえばデジタルカメラで静止画を撮影した後、その撮影画像（静止画）の上に直接手書きにてコメントを書き加えたい場合には、その情報をＩ−ピクチャとしてＶ＿ＰＣＫに記録した静止画とは別に、サブピクチャストリームとして副映像パック（ＳＰ_ＰＣＫ）１６８１、１６８３、１６８４にコメント内容を記録することができる。
【０１３８】
再生時には、Ｖ_ＰＣＫ内のＩ−ピクチャ静止画情報とＳＰ_ＰＣＫ内のサブピクチャ（副映像）情報を重ねて表示する。
【０１３９】
各静止画に対するコメントや説明文を音声入力した音声情報は、オーディオパック（Ａ_ＰＣＫ）１６９１〜１７０２内に記録される。
【０１４０】
このようにＶ_ＰＣＫ情報１６６１〜１６７４、ＳＰ_ＰＣＫ情報１６８１〜１６８４、Ａ_ＰＣＫ情報１６９１〜１７０２はそれぞれ関係する静止画１枚毎に集められ、ＶＯＢＵ（ピクチャオブジェクト用ビデオオブジェクト）１６４１〜１６５０単位でまとめられる。したがって、図１０に示したフォーマットでは静止画１枚ずつ異なるＶＯＢＵを構成している。
【０１４１】
図１０に示す実施の形態ではＶＯＢＵ内で必ずＡ_ＰＣＫに対してＶ_ＰＣＫとＳＰ_ＰＣＫを先行させている。その結果ＶＯＢＵ内においてそれぞれのパックを分離させ、各パック内情報の管理を容易にしている。
【０１４２】
しかしこの発明の実施の形態では上記の制限にこだわることなく、たとえばビデオオブジェクト１０１２内の記録フォーマットのようにＡ_ＰＣＫ、Ｖ_ＰＣＫ、ＳＰ_ＰＣＫの順番が混在して配置されることも許す。
【０１４３】
さらにいうなら、Ｉ−ピクチャの形式で記録された静止画情報を有するＶ_ＰＣＫ１６６４に付いては全て同一のＶＯＢＵ１６４２内に配置される必要があるが、ＶＯＢＵ１６４２に関係した音声情報の一部が記録されたＡ_ＰＣＫ（１６９４）は次のＶＯＢＵ１６４３内に配置されることも許される。
【０１４４】
図１３の説明の所で後述するように、ピクチャオブジェクト用ＶＯＢＵマップ１７３８内に記録されている音声情報の再生終了時間（Ｅ_ＰＴＭ）１８１４の情報を利用して連続した音声情報を各静止画に対応して分離できるためである。
【０１４５】
複数の静止画情報が連続して記録されるフォーマットとして図１０に示したフォーマット構造では、
１）複数のＶＯＢＵから１個のＶＯＢを形成する；
２）１個のＶＯＢは１個のＶＯＢＵのみを有し、それぞれ１枚ずつの静止画が記録されたＶＯＢがグルーピングされてビデオタイトルＶＴＴを構成する；
の２通りの方法を許容し、両者の混在記録を認めている。
【０１４６】
図１０（ｂ１）〜（ｄ３）は前者のフォーマット構造（１）を示し、図１０（ａ）は後者のフォーマット構造（２）を示している。
【０１４７】
前者のフォーマット構造（１）は、図１０（ｂ）が基本構造を示し、特殊例として図１０（ｃ）は音声情報（Ａ_ＰＣＫ）を含まない構造、図１０（ａ）は元の静止画（Ｖ_ＰＣＫ）を含まない構造を示している。
【０１４８】
音声情報を含まないたとえばデジタルカメラで撮影した複数の静止画情報を一度に情報記憶媒体（光ディスク１００１）上に記録したあと、記録された複数の静止画情報を見ながら各静止画についてメモ入力（ＳＰ_ＰＣＫとして追加記録）したり、音声入力（Ａ_ＰＣＫとして追加記録）する場合がある。
【０１４９】
この場合には、追加情報（メモや音声形式）のみを集め、元の静止画情報が記録されているＶＯＢとは別のＶＯＢを形成して、情報記憶媒体（光ディスク１００１）上に記録した方が効率良く編集・記録ができる。別のＶＯＢとして記録した方が元の静止画情報が記録されているＶＯＢ内容を変更する必要がないためである。
【０１５０】
このように静止画情報に対する編集を目的とした追加情報（メモや音声形式）のみを集めたＶＯＢ１６３４内の記録フォーマットは、図１０（ｄ）に類似した構造（Ｖ_ＰＣＫを含まないＡ_ＰＣＫとＳＰ_ＰＣＫのみのデータ）となる。
【０１５１】
なお、図１０（ａ３）および図１０（ｃ３）のＩ−ピクチャは図３（ｊ）のＩ−ピクチャに対応し、図１０（ａ３）および図１０（ｃ３）のダミーは図３（ｆ）のダミーパックＤＭ＿ＰＣＫに対応している。
【０１５２】
また、図１０（ａ１）〜図１０（ｄ３）のビデオパックＶ＿ＰＣＫ、副映像パックＳＰ＿ＰＣＫおよびオーディオパックＡ＿ＰＣＫは、それぞれ、図３ＦのＶ＿ＰＣＫ、ＳＰ＿ＰＣＫおよびＡ＿ＰＣＫに対応している。
【０１５３】
図３または図１０のダミーパックＤＭ＿ＰＣＫは、アフターレコーディングのオーディオデータ記録その他の用途に、適宜利用できる。たとえば、エンコード後のＩ−ピクチャのデータ塊のサイズが積符号を利用したエラー訂正コード（ＥＣＣ）のブロックサイズ（１６セクタ・３２ｋバイト）の整数倍にならないときに、Ｉ−ピクチャのデータ塊サイズが３２ｋバイトの整数倍となるように、このデータ塊にＤＭ＿ＰＣＫを適宜追加することができる。
【０１５４】
ＤＭ＿ＰＣＫの追加により静止画を構成するＩーピクチャのデータ塊サイズを全てＥＣＣブロック単位（３２ｋバイトの整数倍）にマッチさせると、以下のメリットが生じる。
【０１５５】
たとえば、図１の媒体に複数枚連続記録された静止画群の一部をのちに別の静止画と差し替える（あるいは消去する）場合において、差し替え部分（消去部分）の静止画（Ｉーピクチャ）は、元の静止画とサイズが異なっていたとしても、ＥＣＣブロック単位となっているので、差し替えない部分（消去しない部分）のＩ−ピクチャのＥＣＣブロック単位は崩れない。
【０１５６】
このため、静止画群の一部をのちに別の静止画と差し替え（あるいは消去）しても、差し替えない部分（消去しない部分）のＩ−ピクチャのＥＣＣのコーディングをやり直す必要がなくなる。このＥＣＣコーディングのやり直しが不要な分、ＲＴＲレコーダの動作が速くなるので、録画後の静止画群の編集（一部の静止画の差し替え、消去等）をスムースに行うことができる。
【０１５７】
ただし、差し替える静止画のサイズが元の静止画のサイズより大きい場合、差し替える静止画のデータの一部は別の記録箇所に移されて記録される。つまり差し替えた静止画にフラグメンテーション（fragmentation）が起きる。図１の媒体からデータを読み出すディスクドライブのシーク速度が遅い場合はフラグメンテーションがある静止画の再生には若干時間がかかる可能性がある。したがって、高速ドライブを持たないＲＴＲレコーダが静止画再生に使用される場合は、静止画群の編集が終了した後に、適宜、記録データの整理（フラグメンテーションが無くなるよう記録し直すこと）をした方が良い。
【０１５８】
複数の静止画情報が連続して記録されるフォーマットとして後者のフォーマット（２）を採用した場合には、図３（ｃ）に示すように複数のＶＯＢをグルーピングしてそれぞれを異なるビデオタイトルＶＴＴ１４０７、１４０８のグループに所属させる。
【０１５９】
図１０に示した記録フォーマットでは少なくとも２枚の静止画が情報記憶媒体（光ディスク１００１）上の隣接する場所に続いて記録することが可能であり、一般的に複数枚の静止画を連続して記録できる形式になっている。このため、たとえばデジタルカメラで撮影した複数枚の静止画を一度に情報記憶媒体（光ディスク１００１）上に記録する時に高速で記録できるという大きな効果・特徴を持っている。
【０１６０】
それ以外にＶＯＢ内に複数の静止画が記録できる記録フォーマットは以下に説明するような大きな効果を持っている。
【０１６１】
従来、デジタルカメラで撮影した複数枚の静止画の記録形式は、静止画１枚１枚異なるデータファイルに分割されて記録されている。各静止画情報が別々のファイルに分割記録されると、各静止画情報間の撮影順情報や類似した静止画情報間のグルーピング情報が存在しない。それに比べ写真フィルムでは必ずネガフィルム（あるいは必要に応じて作成するポジフィルム）が付属する。そのため焼き増しなどで特定の静止画を指定したい場合にはネガフィルム上で撮影順を追いながら探したい静止画を検索することができる。
【０１６２】
図１９に示した映像情報記録用情報記録再生装置（ビデオレコーダ）では情報記憶媒体（光ディスク１００１）上に記録してあるピクチャオブジェクト用ビデオオブジェクト１６３２の情報を読み取り、図１１に示すようにポジフィルムのように各ＶＯＢＵ１６４２〜１６４４の配列順に画面に表示することができる。
【０１６３】
たとえば図１１の左端の静止画がＶＯＢＵ１６４２の情報を表し、中央の静止画がＶＯＢＵ１６４３の情報を表示している。図１１の静止画は画面上で左右に移動させることができ、ユーザーは編集したい（あるいはハードコピーしたい）静止画を指定する。ビデオオブジェクト１０１２とは異なり静止画情報は図１１のような表示を利用して個々の静止画を指定する。（ビデオオブジェクト１０１２では表示時間により編集したい映像情報範囲を指定する。）
［８］静止画情報に関するビデオオブジェクト情報内のデータ構造
次に、静止画情報に関するビデオオブジェクト情報内のデータ構造を説明する。
【０１６４】
図１（ｆ）に示したビデオオブジェクト情報（またはＡＶＦＩＴ）１１０７は、一般的な映像情報に関する管理情報部分（図８のＭ＿ＡＶＦＩＴ）と静止画情報に関する管理情報部分（図８のＳ＿ＡＶＦＩＴ）に分割されている。後者の静止画情報に関する管理情報部分内のデータ構造は図１２に示す構造をしている。
【０１６５】
図８のナビゲーションデータＲＴＲ＿ＶＭＧに含まれる静止画ＡＶファイル情報テーブル（Ｓ＿ＡＶＦＩＴ）は、図１２の左側に示すように、静止画ＡＶファイル情報テーブル情報（Ｓ＿ＡＶＦＩＴＩ）と、静止画ＶＯＢのストリーム情報（Ｓ＿ＶＯＢ＿ＳＴＩ＃１〜＃ｎ）と、静止画ＡＶファイル情報（Ｓ＿ＡＶＦＩ）と、静止画に対する付加オーディオのストリーム情報（Ｓ＿ＡＡ＿ＳＴＩ＃１〜＃ｍ）と、静止画に対する付加オーディオのファイル情報（Ｓ＿ＡＡＦＩ）とを含んでいる。
【０１６６】
静止画ＡＶファイル情報（Ｓ＿ＡＶＦＩ）は、図１２の中央に示すように、ピクチャオブジェクト管理情報用のＶＯＢ情報（またはＳ＿ＡＶＦＩの一般情報Ｓ＿ＡＶＦＩ＿ＧＩ）１７２１と、ピクチャオブジェクト用ＶＯＢ情報のサーチポインタ＃１（または静止画ＶＯＢグループ情報のサーチポインタＳ＿ＶＯＧＩ＿ＳＲＰ＃１）１７２６〜＃ｉ（Ｓ＿ＶＯＧＩ＿ＳＲＰ＃ｉ）１７２７〜＃ｋ（Ｓ＿ＶＯＧＩ＿ＳＲＰ＃ｋ）１７２８と、ピクチャオブジェクト用ＶＯＢ情報＃１（または静止画ＶＯＢグループ情報Ｓ＿ＶＯＧＩ＃１）１７３１〜＃ｉ（Ｓ＿ＶＯＧＩ＃ｉ）１７３２〜＃ｋ（Ｓ＿ＶＯＧＩ＃ｋ）１７３３とを含んでいる。
【０１６７】
ピクチャオブジェクト用ＶＯＢ情報＃ｉ（または静止画ＶＯＢグループ情報Ｓ＿ＶＯＧＩ＃ｉ）１７３２は、図１２の右側に示すような内容を持つ（ピクチャオブジェクト用ＶＯＢ情報＃１も＃ｋも同様）。
【０１６８】
すなわち、各ピクチャオブジェクト用ＶＯＢ情報＃ｉ（またはＳ＿ＶＯＧＩ＃ｉ）は、ピクチャオブジェクトのＶＯＢ一般情報（または静止画ＶＯＢグループの一般情報Ｓ＿ＶＯＧ＿ＧＩ）１７３６と、ピクチャオブジェクトのＶＯＢ属性情報１７３７と、ピクチャオブジェクトのＶＯＢＵマップ（または１以上の静止画用ＶＯＢエントリＳ＿ＶＯＢ＿ＥＮＴ＃）１７３８とで構成される。
【０１６９】
ここで、Ｓ＿ＶＯＧ＿ＧＩは、ＶＯＢの数（Ｓ＿ＶＯＢ＿Ｎｓ）と、静止画ＶＯＢストリーム情報番号（Ｓ＿ＶＯＢ＿ＳＴＩＮ）と、このＶＯＢグループ中の最初のＶＯＢが記録されたときの時間情報（ＦＩＲＳＴ＿ＶＯＢ＿ＲＥＣ＿ＴＭ）と、このＶＯＢグループ中の最後のＶＯＢが記録されたときの時間情報（ＬＡＳＴ＿ＶＯＢ＿ＲＥＣ＿ＴＭ）と、静止画ＡＦファイル中のこのＶＯＢグループの開始アドレス（Ｓ＿ＶＯＧ＿ＳＡ）とを含んでいる。このＳ＿ＶＯＧ＿ＳＡは、Ｓ＿ＡＶＦＩの先頭からの相対アドレスをセクタ単位で表現したものである。
【０１７０】
一方、各Ｓ＿ＶＯＢ＿ＥＮＴ＃には４種類（タイプ１〜タイプ４）があり、それぞれ、次のような内容を有している：
（１）タイプ１のＳ＿ＶＯＢ＿ＥＮＴは、静止画のＶＯＢエントリの形式を示す情報（Ｓ＿ＶＯＢ＿ＥＮＴ＿ＴＹ）と、静止画ＶＯＢ内のビデオパートのサイズをセクタ単位で表した情報（Ｖ＿ＰＡＲＴ＿ＳＺ）とを含んでいる。
【０１７１】
（２）タイプ２のＳ＿ＶＯＢ＿ＥＮＴは、タイプ１のＳ＿ＶＯＢ＿ＥＮＴ＿ＴＹおよびＶ＿ＰＡＲＴ＿ＳＺの他に、静止画ＶＯＢ内の元の（オリジナルの）オーディオパートのサイズをセクタ単位で表した情報（Ａ＿ＰＡＲＴ＿ＳＺ）と、このオーディオパートの再生時間をビデオフィールド単位で表した情報（Ａ＿ＰＢ＿ＴＭ）とを含んでいる。なお、実際のオーディオパートの再生時間がビデオフィールドの境界に一致しないときは、オーディオパートの末尾データのうちビデオフィールドからはみ出す分は切り捨てられる。
【０１７２】
（３）タイプ３のＳ＿ＶＯＢ＿ＥＮＴは、タイプ１のＳ＿ＶＯＢ＿ＥＮＴ＿ＴＹおよびＶ＿ＰＡＲＴ＿ＳＺの他に、静止画ＶＯＢに付加されるオーディオストリームに含まれる付加オーディオグループの番号情報（Ｓ＿ＡＡＧＮ）と、この静止画ＶＯＢ用付加オーディオストリームに対応したエントリ番号の情報（ＡＡ＿ＥＮＴＮ）とを含んでいる。
【０１７３】
（４）タイプ４のＳ＿ＶＯＢ＿ＥＮＴは、タイプ２のＳ＿ＶＯＢ＿ＥＮＴ＿ＴＹ、Ｖ＿ＰＡＲＴ＿ＳＺ、Ａ＿ＰＡＲＴ＿ＳＺおよびＡ＿ＰＢ＿ＴＭの他に、タイプ３のＳ＿ＡＡＧＮおよびＡＡ＿ＥＮＴＮを含んでいる。
【０１７４】
上記Ｓ＿ＶＯＢ＿ＥＮＴのタイプ１〜タイプ４は、いずれも、タイプ１のＳ＿ＶＯＢ＿ＥＮＴ＿ＴＹおよびＶ＿ＰＡＲＴ＿ＳＺを共通に含んでいる。
【０１７５】
なお、図１２の左側の各Ｓ＿ＡＡ＿ＳＴＩ（＃１〜＃ｍ）は、付加オーディオストリームのオーディオ属性情報を含んでいる。この観点からみれば、Ｓ＿ＡＡ＿ＳＴＩは図１２右側のＶＯＢ属性情報１７３７に対応している。
【０１７６】
別々のピクチャオブジェクト用ビデオオブジェクト（ピクチャオブジェクト用ＶＯＢ）にグルーピングされた個々の静止画情報は、図１２のピクチャオブジェクト用ビデオオブジェクト情報（またはＳ＿ＶＯＧＩ＃１〜Ｓ＿ＶＯＧＩ＃ｋ）１７３１〜１７３３内に記録されている。
【０１７７】
以下、図１２右側に示した情報内容を簡単に説明する。
【０１７８】
図１２の情報１７３２には、下記情報が含まれている：
＊ピクチャオブジェクト用ＶＯＢ一般情報（またはＳ＿ＶＯＧ＿ＧＩ）１７３６  …
・たとえばセル再生情報（図１のＣＩまたは図２３のＳ＿ＣＩ）１１０８内で特定のＶＯＢが指定できるようにＶＯＢ毎に独自に設定したＩＤ情報；
・ＶＯＢタイプ情報  …
図１０の（ａ）〜（ｄ）のどの情報に属するか、映像情報（ビデオオブジェクト１０１２）／静止画情報（ピクチャオブジェクト１０１３）／音声情報（オーディオオブジェクト１０１４）のいずれに関するＶＯＢであるか、ＶＯＢを情報記憶媒体（光ディスク１００１）上に記録した日時など；
＊ピクチャオブジェクト用ＶＯＢ属性情報１７３７  …
・静止画情報の解像度など静止画情報の属性情報；
・音声情報の属性情報；
・副映像情報の数や記録形式など；
＊ピクチャオブジェクト用ＶＯＢＵマップ１７３８  …
・ＶＯＢ内に含まれる全静止画に関する情報。
【０１７９】
以上のような情報＊が記録されている。
【０１８０】
また、ピクチャオブジェクト用ビデオオブジェクト情報の管理情報１７２１には、
・このＡＶファイル内に含まれるピクチャオブジェクト用ＶＯＢの数；
・このＡＶファイル内に含まれるＶＯＢに関する一般的情報；
などが記録されている。
【０１８１】
また、図１（ｆ）に示したビデオオブジェクト情報１１０７内の何処にそれぞれのピクチャオブジェクト用ビデオオブジェクト情報１７３１〜１７３３情報が記録されているかのアドレス情報は、ピクチャオブジェクト用ビデオオブジェクト情報のサーチポインタ１７２６〜１７２８に記録されている。
【０１８２】
［９］静止画情報に関するＶＯＢＵマップ内のデータ構造
次に、図１３を用いて、ピクチャオブジェクト用ＶＯＢＵマップ１７３８内のデータ構造について説明する。
【０１８３】
ピクチャオブジェクト用ＶＯＢＵマップ（Ｓ＿ＶＯＢ＿ＥＮＴ＃）１７３８の最初には、図１３に示すように、該当するＶＯＢ内に含まれる静止画の枚数（ＶＯＢＵの数；またはこのＶＯＢの数Ｓ＿ＶＯＢ＿Ｎｓ）１８０１が記述される。
【０１８４】
そのあとに、ＶＯＢ内に配列された順にしたがい、各静止画（ＶＯＢＵの中味）に関する情報（１８０２、１８０３、１８０４、…）が記述される。
【０１８５】
各静止画（ＶＯＢＵの中味）に関する情報（たとえば１８０３）として図１３右側に示した情報が記録されている。
【０１８６】
図１３において、音声情報も含んだ１枚の静止画情報を有するＶＯＢＵ１４１１（図３（ｅ））の情報は、たとえば図３（ｆ）に示されるように、複数のセクタ１４３１〜１４３４に分割されて記録されている。この１枚の静止画情報（ＶＯＢＵ）分のデータサイズ（Ｖ＿ＰＡＲＴ＿ＳＺおよび／またはＡ＿ＰＡＲＴ＿ＳＺ）１８０６は、分割記録されたセクタ数で表すことができる。
【０１８７】
図１０（ａ）や図１０（ｂ）のように内部にオーディオパックＡ_ＰＣＫを持っているＶＯＢＵに対しては、１枚の静止画の表示時間１８０７はＶＯＢＵ内の音声情報の再生時間を意味し、図１０（ｃ）のようにオーディオパックＡ_ＰＣＫを持っていないＶＯＢＵに対しては静止画の静止表示期間を表している。
【０１８８】
１枚の静止画情報が記録されているＶＯＢＵ内の静止画情報そのものに関する情報としては、以下の情報（図１３）が記録されている。
【０１８９】
＊該当するＶＯＢＵ内での先頭Ｖ_ＰＣＫアドレス（またはＳ＿ＶＯＧ＿ＳＡ）１８０８  …
図１０を例に取ると、各ＶＯＢＵの先頭に位置するＶ_ＰＣＫ１６６１、１６６４、１６６５、１６６６、１６６７、１６６８、１６７１、１６７４などのアドレス情報が記録されている。見たい静止画の含まれるＶＯＢのＩＤとそのＶＯＢ内の静止画番号（ＶＯＢＵの番号）が指定されると、このアドレス情報を利用して光学ヘッド（図示せず）は該当するＶＯＢＵの先頭Ｖ_ＰＣＫアドレスへ直接アクセスする。
【０１９０】
一般的には、アドレス情報として、図４に示すような情報記憶媒体（光ディスク１００１）上の直接の位置を示すＬＳＮ（論理セクタ番号）が用いられる。しかし、このアドレス表示方法に限らず、他の応用例もある。たとえば、図９（ａ３）に示すように、データのシーケンス順配列にしたがい、同一ＶＯＢの先頭アドレスからシーケンス順に数えたセクタ数（相対アドレス）で、媒体上のアドレスを表示しても良い。
【０１９１】
＊該当するＶＯＢＵ内のＩ−ピクチャサイズ１８０９  …
図１０（ａ３）や図１０（ｃ３）で説明したように、Ｉ−ピクチャ１７０６、１７０７のデータサイズの内、パックサイズである２０３４バイトの整数倍に対して足りない部分には、ダミー情報１７０４が記録されている。
【０１９２】
したがって、事前にＩ−ピクチャサイズが分かっていればダミー情報１７０４が記録されている場所も分かるので、再生時にこの部分を再生することなく次の場所へのアクセス動作に入ることができる。そうすれば、高速再生を実現できる。
【０１９３】
＊静止画（Ｖ_ＰＣＫ ＆ ＳＰ_ＰＣＫ）の再生（プレゼンテーション）開始時間（Ｓ_ＰＴＭ）１８１０  …
これは、再生時の静止画とそれに付加する副映像の表示タイミングを示す情報を意味する。この発明では再生時にはＶ_ＰＣＫ内に記録された静止画とそれに付加する副映像は同時に表示する。同一ＶＯＢＵ内での音声情報との間の表示タイミングの設定に利用される。
【０１９４】
＊静止画（Ｖ_ＰＣＫ）の最初のシステムクロック（Ｆｉｒｓｔ_ＳＣＲ）１８１１  …
これは、情報記憶媒体（光ディスク１００１）に記録するため、ＶＯＢＵ内の最初のＶ_ＰＣＫを作成した時のシステムクロックの値を意味し、シームレスな（連続な）再生を行う時にこの情報を利用する。
【０１９５】
次に、１枚の静止画情報が記録されているＶＯＢＵ内の音声情報に関する情報として、以下の情報が記録されている。
【０１９６】
＊ＶＯＢＵ内先頭Ａ_ＰＣＫアドレス１８１２  …
これは、図１０を例に取ると、各ＶＯＢＵの先頭に位置するＡ_ＰＣＫ１６９１、１６９３、１６９４、１６９５、１６９６、１６９９、１７０２などのアドレス情報が記録されている。見たい静止画の含まれるＶＯＢのＩＤとそのＶＯＢ内の静止画番号（ＶＯＢＵの番号）が指定されると、このアドレス情報を利用して光学ヘッド（図示せず）は該当するＶＯＢＵの先頭Ａ_ＰＣＫアドレスへ直接アクセスする。
【０１９７】
図１４（ｃ）に示すように、この発明では１個のＶＯＢ内の音声情報（Ａ_ＰＣＫ情報）を別のＶＯＢに属する静止画情報と組み合わせて表示できる。したがって、ＶＯＢ内の音声情報のみを選択的に再生する場合にこの情報が利用される。
【０１９８】
＊音声情報（Ａ_ＰＣＫ）の再生（プレゼンテーション）開始時間（Ｓ_ＰＴＭ）１８１３  …
これは、再生時の音声情報の出力タイミングを示す情報を意味する。多くの場合、この値は静止画（Ｖ_ＰＣＫ ＆ ＳＰ_ＰＣＫ）のＳ_ＰＴＭ１８１０と一致する。が、静止画画面を表示した後、特定時間（たとえば０．５秒）経過後に音声を出力したい場合に、この値を意図的にずらして設定することができる。
【０１９９】
このように、静止画表示と音声情報出力との間のタイミング制御に、この情報を利用することができる。
【０２００】
＊音声情報（Ａ_ＰＣＫ）の再生終了時間（Ｅ_ＰＴＭ）１８１４  …
これは、再生時の音声情報の出力終了時のタイミングを示す情報を意味し、静止画表示と音声情報出力との間のタイミング制御にこの情報が利用される。
【０２０１】
多くの場合、この値は次に表示する静止画（Ｖ_ＰＣＫ ＆ ＳＰ_ＰＣＫ）のＳ_ＰＴＭ１８１０と一致する。が、音声出力終了後、特定時間（たとえば０．５秒）経過後に始めて次に表示する静止画情報を表示したい場合に、この値を意図的にずらして設定することができる。
【０２０２】
＊音声情報（Ａ_ＰＣＫ）の最初のシステムクロックリファレンス（Ｆｉｒｓｔ_ＳＣＲ）１８１５  …
これは、情報記憶媒体（光ディスク１００１）に記録するためＶＯＢＵ内の最初のＡ_ＰＣＫを作成した時のシステムクロックの値を意味し、シームレスな（連続した）再生を行う時にこの情報が利用される。
【０２０３】
＊音声情報（Ａ_ＰＣＫ）の最後のシステムクロックリファレンス（Ｌａｓｔ_ＳＣＲ）１８１６  …
これは、情報記憶媒体（光ディスク１００１）に記録するためＶＯＢＵ内の最後のＡ_ＰＣＫを作成した時のシステムクロックの値を意味し、シームレスな（連続した）再生を行う時にこの情報が利用される。
【０２０４】
なお、図１２のＳ＿ＶＯＢ＿ＥＮＴの説明中で触れたＡ＿ＰＢ＿ＴＭに対応する内容は、上記Ｆｉｒｓｔ_ＳＣＲとＬａｓｔ＿ＳＣＲとのペアで表すことができる。
【０２０５】
このように静止画情報と音声情報に関する再生時間情報（ＰＴＭ情報）とシステムクロックリファレンス情報（ＳＣＲ情報）を記録することで、図１（ｄ）のビデオオブジェクト１０１２に属する映像情報を静止画情報の一部に利用できるという特徴がある。
【０２０６】
すなわち、ビデオオブジェクト１０１２に属する映像情報自体に対しては一切加工せずに、以下に示すように静止画用の新たなピクチャオブジェクト用ビデオオブジェクト情報（Ｓ＿ＶＯＢ）を定義する。
【０２０７】
ここで、従前の映像情報（ビデオオブジェクト１０１２）に対して、たとえば２秒毎に表示が切り替わる静止画を定義する場合について説明する。
【０２０８】
一般的に、ＭＰＥＧ映像情報では１ＧＯＰの所要時間はおよそ０．５秒なので、図３（ｅ）に示す１個のＶＯＢＵの長さは０．５秒前後になることが多い。すると、２秒（静止画切替間隔）÷０．５秒（ＶＯＢＵ間隔）＝４から、４個のＶＯＢＵ毎にＧＯＰ先頭のＩ−ピクチャが静止画と見なされて、ＶＯＢ内での先頭Ｖ_ＰＣＫアドレス１８０８とＶＯＢ内のＩ−ピクチャサイズ１８０９の情報が設定される。
【０２０９】
この設定とともに、同様にして図１８右側の各情報の数値も設定される。
【０２１０】
その結果、図１４に示すように、異なるＶＯＢ（ＶＯＢ＃Ａ、ＶＯＢ＃Ｂ）に属する静止画情報と音声情報を組み合わせて表示することにより、ビデオオブジェクト１０１２に属する映像情報内の音声部分だけを静止画表示時に音声出力したり、ビデオオブジェクト１０１２に属する映像情報内のユーザーが気に入った場面のみを静止画に変換して表示することが可能となる。
【０２１１】
［１０］複数枚の静止画の表示方法
次に、複数枚の静止画の表示方法について説明する。
【０２１２】
情報記憶媒体（光ディスク１００１）に記録された複数枚の静止画情報の表示方法として図１１に示すように一度に複数枚を並べて表示する方法（但し並べて表示される静止画は移動したり・入れ替わったりする）と、一度に表示する静止画は１枚ずつとし特定の時間毎に表示する静止画を変える方法とがある。いずれの場合にもデータ構造上は図６と図７に示すようにセルとＰＧＣ情報を利用し、図１９に示す映像情報記録用情報記録再生装置（ＤＶＤ＿ＲＴＲビデオレコーダ）によってユーザーが表示方法を選べるようになっている。
【０２１３】
ビデオオブジェクト情報１１０７と同様、図１（ｆ）に示したセル再生情報（またはＣＩ）１１０８の内部は、映像情報に関するセル再生情報（Ｍ＿ＣＩ）と静止画情報に関するセル再生情報（Ｓ＿ＣＩ）とに分かれている。
【０２１４】
静止画情報に関するセル再生情報（Ｓ＿ＣＩ）では、図１４に示すように、静止画と音声情報を異なる場所から再生して組み合わせて表示することが可能な構造になっている。
【０２１５】
すなわち、図１４（ｃ）に示すように、セル内の表示に利用するＶ_ＰＣＫ１８５２、１８５４とＳＰ_ＰＣＫ１８４８はＶＯＢ＃Ａ・１８２１内の静止画１８３２、１８３４を指定し、同一のセルから出力する音声情報はＶＯＢ＃Ａ・１８２１とは異なるＶＯＢ＃Ｂ・１８２２内の音声情報１８４５、１８４６を指定できる構造になっている。
【０２１６】
この構造は静止画に対するアフターレコーディング設定に都合が良い構造となっている。たとえば音声入力機能を持たないデジタルカメラで撮影した静止画情報をそのまま情報記憶媒体（光ディスク１００１）に記録すると、その記録結果は図１０（ｃ３）に示すようにオーディオパックＡ_ＰＣＫを含まない構造になっている。
【０２１７】
その情報を再生し、図１１のように画面表示させながら、１枚１枚に対して、解説あるいはコメントを、“マイクによる音声入力”、“手書きによるマークの重ね書き”、“キー入力によるテキスト情報の追加”などの方法で、追加する場合を考える。
【０２１８】
この場合、記録フォーマットを図１０（ｃ３）のＡ_ＰＣＫを含まない構造から図１０（ｂ３）のようにＡ_ＰＣＫを含む構造に変化させようとすると、情報記憶媒体（光ディスク１００１）上での記録のやり直し処理が発生する。すると、処理が面倒になるとともに、処理時間が大幅に掛かってしまう。
【０２１９】
これに対し、図１０（ｃ３）に示すオーディオパックＡ_ＰＣＫを含まないデータに手を加えることなく、追加情報のみを図１０（ｄ）のように別ＶＯＢ１６３４にして情報記憶媒体（光ディスク１００１）上に記録すれば、静止画に対する後の情報追加処理が非常に簡単かつ短時間で行えるようになる。この場合、表示時に、図３（ｄ）のＶＯＢ１４０３〜１４０５のように図１０（ｃ１）（ｄ１）のＶＯＢ１６３３とＶＯＢ１６３４が組み合わされて、表示／出力される。
【０２２０】
図１４の表現が可能となるピクチャオブジェクト用セル再生情報（Ｓ＿ＣＩ）内のデータ構造を図１５に示す。
【０２２１】
始めに、セル独自の識別子であるＩＤ情報（またはＣＩ＿ＳＲＰ）１８７３が記載される。
【０２２２】
次に記載されるセルの種類情報（またはＣ＿ＴＹ）１８８０は、
１）映像情報（ビデオオブジェクト１０１２）に関するセル情報か、静止画（ピクチャオブジェクト１０１３）に関するセル情報か、音声情報（オーディオオブジェクト１０１４）のみに関するセル情報かの識別情報と、
２）ＶＯＢ内に複数の静止画が記録されたＶＯＢ（図１０（ｂ）〜（ｄ）のフォーマット）に対するセル情報か（図１５の構造が該当する）、ＶＯＢ内に１枚のみの静止画が記録されたＶＯＢ（図１０（ａ）のフォーマット）に対するセル情報か（図１６の構造が該当する）に関する識別情報と
を表している。
【０２２３】
このように、静止画が記録されたＶＯＢの記録フォーマットの違いをピクチャオブジェクト用セル再生情報（Ｓ＿ＣＩ）のレベルで吸収することにより、ＶＯＢの記録フォーマットの違いを乗り越えて、図７に示すＰＧＣのレベルでは、静止画（スチル）と動画情報（ムービー）との区別なく、同一のシーケンスで静止画も動画も再生表示可能としている。ここに大きな特徴がある。
【０２２４】
ビデオパックＶ＿ＰＣＫが記録されている図１５のＶＯＢのＩＤ情報１８７４として、図１４の実施の形態では、ＶＯＢ＃Ａ・１８２１を指定する。ＶＯＢ＃Ａ・１８２１の２番目の静止画から表示したい場合には、セル内での最初に表示する静止画指定１８７５としてＶＯＢ＃Ａ・１８２１の静止画番号２を指定する。また、図１４の実施の形態に合わせて、セル内での最後に表示する静止画指定１８７６にはＶＯＢ＃Ａ・１８２１の静止画番号ｈを指定している。
【０２２５】
このように、ピクチャオブジェクト用セル再生情報（Ｓ＿ＣＩ）では、指定対象として、“静止画”そのものを指定している所に大きな特徴がある。
【０２２６】
図１５の実施の形態では、静止画の指定方法として“静止画番号”を指定しているが、それに限らず、“静止画が記録してある単位（たとえばＶＯＢＵ）自体の指定”、“静止画が記録してある先頭アドレス指定”、“ＶＯＢ内でのシーケンス順番”などで、指定することも可能である。
【０２２７】
また、図１５では、セル内の最初と最後の静止画を指定しているが、上記表示方法の代わりに、セル内で最初に表示する静止画とセル内で表示する全静止画数を表示する方法もある。
【０２２８】
同様に、図１５において、オーディオパックＡ＿ＰＣＫが記録されているＶＯＢのＩＤ情報１８７７（図１４の実施の形態ではＶＯＢ＃Ｂ・１８２２を指定）と、セル内での最初に出力する音声情報（Ａ_ＰＣＫ）の記録先を示す静止画番号１８７８（図１４の実施の形態では静止画番号ｊを指定）が、記載されている。
【０２２９】
ところで、図１５ではセル内で最後に出力する音声情報（Ａ_ＰＣＫ）の記録先を示す静止画番号情報は、記載されてない。
【０２３０】
しかし、セル内で最初に表示する静止画番号１８７５とセル内で最後に表示する静止画番号１８７６から同一セル内で表示するトータル静止画枚数が分かるので、セル内で最後に出力する音声情報（Ａ_ＰＣＫ）の記録先を示す静止画番号情報は、記載不要になっている。
【０２３１】
また図１４（ｃ）で全ての静止画に対して音声情報を指定する場合には、図１３の音声情報のＳ_ＰＴＭ１８１３とＥ_ＰＴＭ１８１４から１枚の静止画当たりの表示時間が分かる。一方、特定のＶＯＢＵに対して音声情報を指定しない場合には、静止画１枚当たりの静止表示時間１８７９の情報を用いて静止画の表示時間を設定する。
【０２３２】
図１５において、１８７３〜１８７６は図２の静止画ファイル（ＲＴＲ＿ＳＴＯ．ＶＲＯ）に対応し、１８７７〜１８７９は図２のアフターレコーディング用オーディオファイル（ＲＴＲ＿ＳＴＡ．ＶＲＯ）に対応している。
【０２３３】
［１１］１ＶＯＢに１枚のみの静止画が記録されている場合のグルーピング／表示方法
次に、１ＶＯＢに１枚のみの静止画が記録されている場合のグルーピング／表示方法について説明する。
【０２３４】
図１０（ａ）のように１ＶＯＢ（ピクチャオブジェクト用ビデオオブジェクト）１６３１内に１枚のみの静止画が記録されている場合、複数の静止画のＶＯＢを集めてグルーピングし、パートオブタイトルとして取り扱う。
【０２３５】
このグルーピング情報は図１（ｆ）に示したビデオタイトルセット情報（またはＲＴＲ＿ＶＭＧＩ）１１０６内の図８に示したパートオブタイトル情報１７５３内に記録されている。
【０２３６】
図１７に示す静止画に関するパートオブタイトル情報１７５３内のデータ構造とその中のピクチャオブジェクト用ＶＯＢマップ１８９９内のデータ構造は、図１２に示すビデオオブジェクト情報（Ｓ＿ＶＯＧＩ＃）内のデータ構造と図１３に示すピクチャオブジェクト用ＶＯＢＵマップ（Ｓ＿ＶＯＢ＿ＥＮＴ＃）内のデータ構造と類似した構造を有する。
【０２３７】
また、これに対応した図１６のピクチャオブジェクト用セル再生情報（ＣＩ）の構造も図１５のＳ＿ＣＩと同様の構造を持っている。
【０２３８】
次に、映像情報記録用情報記録再生装置（ＤＶＤ＿ＲＴＲビデオレコーダ）の一例を説明する。
【０２３９】
図１９はＤＶＤ＿ＲＴＲビデオレコーダ内のブロック構成を説明する図である。
【０２４０】
図１９に示すビデオレコーダ−の装置本体は、大まかにいって、情報記憶媒体（光ディスク）１００１を回転駆動し、この情報記憶媒体（光ディスク）１００１に対して映像情報の録画と再生を実行するディスクドライブ部と、録画側を構成するエンコーダ部１５５０と、再生側を構成するデコーダ部１５６０と、内部にＲＯＭ（プログラムメモリ等）およびＲＡＭ（ワークメモリ等）を内蔵し装置本体の動作を制御するシステム制御部（ＭＰＵ部）１５３０とで構成されている。
【０２４１】
エンコーダ部１５５０は、ＡＤＣ（アナログ・デジタル変換器）１５５２と、ビデオエンコーダ（Ｖエンコーダ）１５５３と、オーディオエンコーダ（Ａエンコーダ）１５５４と、副映像エンコーダ（ＳＰエンコーダ）１５５５と、フォーマッタ１５５６と、バッファメモリ１５５７とを備えている。
【０２４２】
ＡＤＣ１５５２には、ＡＶ入力部１５４２からの外部アナログビデオ信号＋外部アナログオーディオ信号、あるいはＴＶチューナ１５４４からのアナログＴＶ信号＋アナログ音声信号が入力される。このＡＤＣ１５５２は、入力されたアナログビデオ信号を、たとえばサンプリング周波数１３．５ＭＨｚ、量子化ビット数８ビットでデジタル化する。（すなわち、輝度成分Ｙ、色差成分Ｃｂ（またはＹ−ＢあるいはＵ）および色差成分Ｃｒ（またはＹ−ＲあるいはＶ）それぞれが、８ビットで量子化される。）
同様に、ＡＤＣ１５５２は、入力されたアナログオーディオ信号を、たとえばサンプリング周波数４８ｋＨｚ、量子化ビット数１６ビットでデジタル化する。
【０２４３】
なお、ＡＤＣ１５５２にアナログビデオ信号およびデジタルオーディオ信号が入力されるときは、ＡＤＣ１５５２はデジタルオーディオ信号をスルーパスさせる。（デジタルオーディオ信号の内容は改変せず、デジタル信号に付随するジッタだけを低減させる処理、あるいはサンプリングレートや量子化ビット数を変更する処理等は行っても良い）。
【０２４４】
一方、ＡＤＣ１５５２にデジタルビデオ信号およびデジタルオーディオ信号が入力されるときは、ＡＤＣ１５５２はデジタルビデオ信号およびデジタルオーディオ信号をスルーパスさせる（これらのデジタル信号に対しても、内容は改変することなく、ジッタ低減処理やサンプリングレート変更処理等は行っても良い）。
【０２４５】
上記ビデオ信号入力以外にたとえばデジタルカメラ１５４３による静止画情報が入力された場合は、ＡＤＣ１５５２を経由することなく、直接Ｖエンコーダ１５５３に情報入力される。
【０２４６】
ＡＤＣ１５５２からのデジタルビデオ信号成分は、ビデオエンコーダ（Ｖエンコーダ）１５５３を介してフォーマッタ１５５６に送られる。また、ＡＤＣ１５５２からのデジタルオーディオ信号成分は、オーディオエンコーダ（Ａエンコーダ）１５５４を介してフォーマッタ１５５６に送られる。あるいはＶエンコーダ１５５３に直接入力された静止画信号はＶエンコーダ１５５３からフォーマッタ１５５６に送られる。
【０２４７】
Ｖエンコーダ１５５３は、入力されたデジタルビデオ信号を、ＭＰＥＧ２またはＭＰＥＧ１規格に基づき、可変ビットレートで圧縮されたデジタル信号に変換する機能を持つ。
【０２４８】
またデジタルカメラ１５４３には静止画情報はビットマップ形式やＪＰＥＧ形式などのフォーマット形式で記録されている。それに対して、この実施の形態では、光ディスク１００１にはＭＰＥＧ２のＩ−ピクチャ形式で静止画が記録される。そのため、この実施の形態では、“ビットマップ→ＭＰＥＧ２”、“ＪＰＥＧ→ＭＰＥＧ２”などのフォーマット変換機能も、Ｖエンコーダ１５５３に持たせてある。
【０２４９】
また、Ａエンコーダ１５５４は、入力されたデジタルオーディオ信号を、ＭＰＥＧまたはＡＣ−３規格に基づき、固定ビットレートで圧縮されたデジタル信号（またはリニアＰＣＭのデジタル信号）に変換する機能を持つ。
【０２５０】
ビデオ信号がＡＶ入力部１５４２から入力された場合（たとえば副映像信号の独立出力端子付ＤＶＤビデオプレーヤからの信号）、あるいはこのようなデータ構成のビデオ信号が放送されてそれがＴＶチューナ１５４４で受信された場合は、ビデオ信号中の副映像信号成分（副映像パック）が、副映像エンコーダ（ＳＰエンコーダ）１５５５に入力される。ＳＰエンコーダ１５５５に入力された副映像データは、所定の信号形態にアレンジされて、フォーマッタ１５５６に送られる。
【０２５１】
フォーマッタ１５５６は、バッファメモリ１５５７をワークエリアとして使用しながら、入力されたビデオ信号、オーディオ信号、副映像信号等に対して所定の信号処理を行い、所定のフォーマット（ファイル構造）に合致した記録データをデータプロセサ１５３６に出力する。
【０２５２】
デジタル放送の場合には映像信号はＭＰＥＧ２のＴＳ（トランスポートストリーム）形式で送信される。一般に情報記憶媒体（光ディスク）１００１には映像信号がＭＰＥＧ２のフォーマットで記録される場合にはＰＳ（プログラムストリーム）形式が使われる。したがってデジタル放送を受信した場合には、受信信号はＴＶチューナ１５４４から直接フォーマッタ１５５６に送られ、フォーマッタ１５５６内で“ＴＳ→ＰＳ変換”が行われ
る。
【０２５３】
ここで、上記記録データを作成するための標準的なエンコード処理内容を簡単に説明しておく。すなわち、図１９のエンコーダ部１５５０においてエンコード処理が開始されると、ビデオ（主映像）データおよびオーディオデータのエンコードにあたって必要なパラメータが設定される。次に、設定されたパラメータを利用して主映像データがプリエンコードされ、設定された平均転送レート（記録レート）に最適な符号量の分配が計算される。こうしてプリエンコードで得られた符号量分配に基づき、主映像のエンコードが実行される。このとき、オーディオデータのエンコードも同時に実行される。
【０２５４】
プリエンコードの結果、データ圧縮量が不十分な場合（録画しようとする光ディスク１００１に希望のビデオプログラムが収まり切らない場合）、再度プリエンコードする機会を持てるなら（たとえば録画のソースがビデオテープあるいはビデオディスクなどの反復再生可能なソースであれば）、主映像データの部分的な再エンコードが実行され、再エンコードした部分の主映像データがそれ以前にプリエンコードした主映像データ部分と置換される。このような一連の処理によって、主映像データおよびオーディオデータがエンコードされ、記録に必要な平均ビットレートの値が、大幅に低減される。
【０２５５】
同様に、副映像データをエンコードするに必要なパラメータが設定され、エンコードされた副映像データが作成される。
【０２５６】
以上のようにしてエンコードされた主映像データ、オーディオデータおよび副映像データが組み合わされて、所望のビデオオブジェクトのデータ構造に変換される。
【０２５７】
すなわち、主映像データ（ビデオデータ）の最小単位としてのセルが設定され、次にプログラムチェーンを構成するセルの構成、主映像、副映像およびオーディオの属性等が設定され（これらの属性情報の一部は、各データをエンコードする時に得られた情報が利用される）、種々な情報を含めた管理情報がセルに関する情報が管理情報記録エリア（図１（ｄ）の制御情報１０１１または図２のＲＴＲ．ＩＦＯ）内に記録される。
【０２５８】
エンコードされた主映像データ、オーディオデータおよび副映像データは一定サイズ（２０４８バイト）のパックに細分化される。これらのパックには、ダミーパックが適宜挿入される。なお、ダミーパック以外のパック内には、適宜、ＰＴＳ（プレゼンテーションタイムスタンプ）、ＤＴＳ（デコードタイムスタンプ）等のタイムスタンプが記述される。副映像のＰＴＳについては、同じ再生時間帯の主映像データあるいはオーディオデータのＰＴＳより任意に遅延させた時間を記述することができる。
【０２５９】
そして各データのタイムコード順に再生可能なように、ＶＯＢＵ単位で各データセルが配置されて、複数のセルで構成されるＶＯＢが構成される。
【０２６０】
なお、図１９のＤＶＤ＿ＲＴＲビデオレコーダのデジタル出力から映像情報をデジタルコピーする場合は、上記セル、プログラムチェーン、管理テーブル、タイムスタンプ等の内容は初めから決まっているので、これらを改めて作成する必要はない。
【０２６１】
光ディスク１００１に対して情報の読み書き（録画および／または再生）を実行する構成は、ディスクドライブ部（ディスクチェンジャ部）１５００と、情報記録再生部１０１と、一時記憶部１５３４と、データプロセサ１５３６と、システムタイムカウンタ（またはシステムタイムクロック；ＳＴＣ）１５３８とを備えている。
【０２６２】
一時記憶部１５３４は、情報記録再生部１０１を介して光ディスク１００１に書き込まれるデータ（エンコーダ部１５５０から出力されるデータ）のうちの一定量分をバッファイリングしたり、情報記録再生部１０１を介して光ディスク１００１から再生されたデータ（デコーダ部１５６０に入力されるデータ）のうちの一定量分をバッファイリングするのに利用される。
【０２６３】
たとえば一時記憶部１５３４が４Ｍバイトの半導体メモリ（ＤＲＡＭ）で構成されるときは、平均４Ｍｂｐｓの記録レートでおよそ８秒分の記録または再生データのバッファリングが可能である。また、一時記憶部１５３４が１６ＭバイトのＥＥＰＲＯＭ（フラッシュメモリ）で構成されるときは、平均４Ｍｂｐｓの記録レートでおよそ３０秒の記録または再生データのバッファリングが可能である。さらに、一時記憶部１５３４が１００Ｍバイトの超小型ＨＤＤ（ハードディスク）で構成されるときは、平均４Ｍｂｐｓの記録レートで３分以上の記録または再生データのバッファリングが可能となる。
【０２６４】
一時記憶部１５３４は、録画途中で光ディスク１００１を使い切ってしまった場合において、光ディスク１００１が新しいディスクに交換されるまでの録画情報を一時記憶しておくことにも利用できる。
【０２６５】
また、一時記憶部１５３４は、情報記録再生部１０１として２倍速以上の高速記録再生部を採用した場合において、一定時間内に通常ドライブより余分に読み出されたデータを一時記憶しておくことにも利用できる。
【０２６６】
再生時の読み取りデータを一時記憶部１５３４にバッファリングしておけば、振動ショック等で図示しない光学ヘッドが読み取りエラーを起こした時でも、一時記憶部１５３４にバッファリングされた再生データを切り替え使用することによって、再生映像が途切れないようにできる。
【０２６７】
なお、図１９では図示しないが、ＤＶＤ＿ＲＴＲビデオレコーダに外部カードスロットを設けておけば、前記ＥＥＰＲＯＭはオプションのＩＣカードとして別売できる。またＤＶＤ＿ＲＴＲビデオレコーダに外部ドライブスロットあるいはＳＣＳＩインターフェイス等を設けておけば、前記ＨＤＤもオプションの拡張ドライブとして別売できる。
【０２６８】
なおパーソナルコンピュータをソフトウエアでＤＶＤ＿ＲＴＲビデオレコーダ化する実施形態では、パーソナルコンピュータ自身のハードディスクドライブの空き領域の一部またはメインメモリの一部を、図１９の一時記憶部１５３４として利用できる。
【０２６９】
図１９のデータプロセサ１５３６は、システム制御部（ＭＰＵ部）〔ＲＯＭ／ＲＡＭ内蔵〕１５３０の制御にしたがって、
・エンコーダ部１５５０からの録画用の映像情報信号の情報記録再生部１０１への供給
・情報記録再生部１０１から再生された映像情報信号を取り出した後、他部分への転送処理
・光ディスク１００１に記録された管理情報（制御情報１０１１）の書き換え処理
・光ディスク１００１に記録されたデータである映像情報や管理情報（制御情報１０１１またはＲＴＲ．ＩＦＯあるいはＲＴＲ＿ＶＭＧ）の部分的削除処理
などを行う。
【０２７０】
システム制御部１５３０は、ＭＰＵ（またはＣＰＵ）、制御プログラム等が書き込まれたＩＣメモリーであるＲＯＭ、およびプログラム実行に必要なワークエリアを提供するＩＣメモリーであるＲＡＭを含んでいる。
【０２７１】
システム制御部１５３０の実行結果のうち映像情報記録用情報記録再生装置（録再レコーダ）のユーザに通知すべき内容はビデオレコーダ表示部１５４８に表示される。
【０２７２】
なおシステム制御部（ＭＰＵ部）１５３０がディスクチェンジャ部１５００、情報記録再生部１０１、データプロセサ１５３６、エンコーダ部１５５０および／またはデコーダ部１５６０を制御するタイミングはＳＴＣ１５３８からの時間データに基づいて、実行することができる（録画・再生の動作は、通常はＳＴＣ１５３８からのタイムクロックに同期して実行されるが、それ以外の処理は、ＳＴＣ１５３８とは独立したタイミングで実行されてもよい）。
【０２７３】
デコーダ部１５６０は、光ディスク１００１に記録されているパック構造を持つ映像情報から各パックを分離して取り出すセパレータ１５６２と、パック分離その他の信号処理実行時に使用するメモリ１５６３、セパレータ１５６２で分離された主映像データ（ビデオパックの内容）をデコードするビデオデコーダ（Ｖデコーダ）１５６４、セパレータ１５６２で分離された副映像データ（副映像パックの内容）をデコードする副映像デコーダ（ＳＰデコーダ）１５６５、セパレータ１５６２で分離されたオーディオデータ（オーディオパックの内容）をデコードするオーディオデコーダ（Ａデコーダ）１５６８、Ｖデコーダ１５６４からのビデオデータにＳＰデコーダ１５６５からの副映像データを適宜合成し、主映像にメニュー、ハイライトボタン、字幕その他の副映像を重ねて出力するビデオプロセサ１５６６、ビデオプロセサ１５６６からのデジタルビデオ出力をアナログビデオ信号に変換するビデオ・デジタル・アナログ変換器（Ｖ・ＤＡＣ）１５６７、Ａデコーダ１５６８からのデジタルオーディオ出力をアナログオーディオ信号に変換するオーディオ・デジタル・アナログ変換器（Ａ・ＤＡＣ）１５６７を備えている。
【０２７４】
Ｖ・ＤＡＣ１５６７からのアナログビデオ信号（アナログ状態の映像情報信号）およびＡ・ＤＡＣ６７からのアナログオーディオ信号は、ＡＶ出力部１５４６を介して、図示しない外部コンポーネント（２チャネル〜６チャネルのマルチチャネルステレオ装置＋モニタＴＶまたはプロジェクタ）に供給される。
【０２７５】
システム制御部（ＭＰＵ部）１５３０から出力されるＯＳＤ（On Screen Display）データは、デコーダ部１５６０のセパレータ１５６２に入力され、Ｖデコーダ１５６４を通過して（とくにデコード処理はされない）ビデオプロセサ１５６６に入力される。すると、このＯＳＤデータが主映像に重畳され、それがＡＶ出力部１５４６に接続された外部モニタＴＶに供給される。すると警告文が主映像とともに表示される。
【０２７６】
次に、図１９の映像情報記録用情報記録再生装置（ＤＶＤ＿ＲＴＲビデオレコーダ）の各動作について説明を行う。
【０２７７】
以下、図２０のフローチャートを参照しながら、複数枚の静止画を情報記憶媒体（ＤＶＤ＿ＲＴＲディスク）上に記録する手順を説明する。
【０２７８】
まず、デジタルカメラ１５４３などからの静止画ファイルを連続してデータ入力する（ステップＳＴ１）。
【０２７９】
デジタルカメラ１５４３からの静止画ファイルは、一般にＪＰＥＧ形式あるいはビットマップ形式などで記録されているので、入力した静止画情報をＶエンコーダ１５５３によってＭＰＥＧ２のＩ−ピクチャデータに変換する（ステップＳＴ２）。
【０２８０】
次に、フォーマッタ１５５６において、１枚の静止画情報に対して図３のようなデータ構造を持ったＶＯＢＵ構造を作成するとともに、複数の静止画をまとめて（グルーピングして）ＶＯＢを構成する（ステップＳＴ３）。
【０２８１】
上記処理と平行して、情報記録再生部１０１光ディスク１００１に記録してある全ての制御情報１０１１（ＲＴＲ．ＩＦＯ／ＲＴＲ＿ＶＭＧ）を再生し、その情報をシステム制御部１５３０内のＲＡＭ部（ワークメモリ）に保存する（ステップＳＴ４）。
【０２８２】
システム制御部１５３０内部では、ＲＡＭ部に保存された制御情報１０１１（ＲＴＲ．ＩＦＯ／ＲＴＲ＿ＶＭＧ）の中から、アロケーションマップテーブル１１０５の情報を探し、未記録エリア１４６０（図４）の場所を探す（ステップＳＴ５）。
【０２８３】
その後、システム制御部１５３０から、フォーマッタ１５５６とデータプロセッサ１５３６と情報記録再生部１０１に制御情報を送り、情報記録再生部１０１に複数の静止画情報を持ったＶＯＢを、未記録エリア１４６０に記録する（ステップＳＴ６）。
【０２８４】
記録時にはシステム制御部１５３０が記録状況をモニターし、光ディスク１００１へのＶＯＢの記録が成功したか判定する（ステップＳＴ７）。
【０２８５】
もし、途中でトラブルが発生した場合には、ステップＳＴ４〜ＳＴ６の処理が繰り返えされる。
【０２８６】
光ディスク１００１へのＶＯＢの記録が成功した場合には、光ディスク１００１に記録されたアドレス情報を基に、システム制御部１５３０内で、図１２のＶＯＢＵマップ１７３８（あるいは図１７のＶＯＢマップ１８９９）を作成する（ステップＳＴ９）。
【０２８７】
最後に、システム制御部１５３０内で作成したＶＯＢＵマップ１７３８（あるいはＶＯＢマップ１８９９）の情報を、情報記録再生部１０１を用いて、光ディスク１００１上の制御情報１０１１（ＲＴＲ．ＩＦＯ／ＲＴＲ＿ＶＭＧ）内に追加記録する（ステップＳＴ１０）。
【０２８８】
次に、図２１を用いて音声情報を含む静止画情報の再生手順について説明を行う。
【０２８９】
図２０のステップＳＴ４〜ＳＴ５と同様に、最初に情報記録再生部１０１によって光ディスク１００１に記録してある全ての制御情報１０１１（ＲＴＲ．ＩＦＯ／ＲＴＲ＿ＶＭＧ）を再生し、その情報をシステム制御部１５３０内のＲＡＭ部（ワークメモリ）に保存する（ステップＳＴ１１）。
【０２９０】
次に、システム制御部１５３０内部では、ＲＡＭ部に保存された制御情報１０１１（ＲＴＲ．ＩＦＯ／ＲＴＲ＿ＶＭＧ）の中から再生制御情報１０２１（ＣＩ）の情報を探し、再生方法に関する情報を解釈する（ステップＳＴ１２）。
【０２９１】
その後、システム制御部１５３０内部では、ＲＡＭ部に保存されたプログラムチェーン制御情報１１０３（ＰＧＣＩ）の中から再生したい情報のプログラムを探し、そのＰＧＣ情報内に含まれているセルを抽出する。
【０２９２】
次に、ＲＡＭ部に保存されたセル再生情報１１０８から、該当するセルが指定するＶＯＢ_ＩＤあるいはＰＴＴ_ＩＤを抽出する（ステップＳＴ１３）。
【０２９３】
さらに、システム制御部１５３０内部では、ＲＡＭ部に保存してあるビデオオブジェクト情報１１０７（ＡＶＦＩＴ）あるいはビデオタイトルセット情報１１０６（ＲＴＲ＿ＶＭＧ）内のパートオブタイトル情報１７５３（図８）から、再生したいＶＯＢが記録してある光ディスク１００１上のアドレスを抽出する（ステップＳＴ１４）。
【０２９４】
再生時には、図１４に示すようにＶＯＢ＃Ａから静止画情報そのものを再生し、それにＶＯＢ＃Ｂ内に記録してある音声情報を重ねて表示する。以下、この場合の再生手順について説明する。
【０２９５】
まず、システム制御部１５３０からの制御信号を基に情報記録再生部１０１内の光学ヘッド（図示せず）をアクセスさせて、光ディスク１００１上に記録してあるＶＯＢ＃Ｂの情報を再生するとともに、その中から静止画複数枚分の音声情報をメモリ１５６３（図１９）に一時保管する（ステップＳＴ１８）。
【０２９６】
次に、光ディスク１００１上に記録してあるＶＯＢ＃Ａの情報記録位置へ情報記録再生部１０１内の光学ヘッド（図示せず）をアクセスさせ、ＶＯＢ＃Ａ内の静止画情報を再生する（ステップＳＴ１６）。
【０２９７】
最後にＡＶ出力１５４６でＶＯＢ＃Ｂ内の音声情報とＶＯＢ＃Ａ内の静止画情報を同時に出力（表示）する（ステップＳＴ１７）。
【０２９８】
上記のように、静止画複数枚分の音声情報のみ、あるいは静止画情報のみのどちらか一方を（複数枚分）まとめて再生し、再生結果をメモリ１５６２を保存した後、残りの情報をまとめて再生し、同時に出力（表示）することにより、１枚の静止画情報毎の静止画情報と音声情報をその都度再生する方法に比べて、光学ヘッド（図示せず）のアクセス頻度を大幅に低減させることができる。
【０２９９】
その結果、シームレスな連続再生が可能になる（静止画の表示の変わり目で一時的に動きが止まったり、音声情報が途切れたりすることがない）。ここに、この発明の大きな特徴がある。
【０３００】
なお、図２１ではＶＯＢ＃Ｂの音声情報を再生した後にＶＯＢ＃Ａの静止画情報を再生しているが、この発明の技術思想から外れない範囲での変更（たとえば再生順が入れ替わるなど）は可能である。
【０３０１】
また、図１０ではＶＯＢＵ内に静止画情報と音声情報がペアになって保存される記録フォーマットになっている。しかし、この発明はこのようなフォーマットに限定されることはなく、種々な変更が可能である。
【０３０２】
たとえば、１つのＶＯＢ内あるいは１つのＰＴＴ内の前半にまとめて複数枚分のＶ_ＰＣＫが配置され、後半に複数枚分のＡ_ＰＣＫがまとめて配置された記録フォーマットの場合には、同一番号の静止画に対するＶ_ＰＣＫおよびＡ_ＰＣＫ間の位置が、情報記憶媒体（光ディスク）１００１上では離れている。
【０３０３】
この場合、同一のＶＯＢ内の同一静止画番号の静止画情報（Ｖ_ＰＣＫ情報）と音声情報（Ｖ_ＰＣＫ情報）を順次再生する場合でも、光学ヘッドのアクセス処理が必要となる。
【０３０４】
したがって、上記のように１つのＶＯＢ内あるいは１つのＰＴＴ内の前半にまとめて複数枚分のＶ_ＰＣＫが配置され、後半に複数枚分のＡ_ＰＣＫがまとめて配置された記録フォーマットを持つピクチャオブジェクト１０１３から複数枚の静止画情報を再生する場合には、先にＶ_ＰＣＫ情報とＶ_ＰＣＫ情報の内のいずれかを複数枚分先に読み取ってメモリ１５６３に保存し、その後残りの情報をまとめて再生して同時に出力（表示）する。
【０３０５】
次に、図２２を参照して、この発明の他の実施の形態として、静止画に対する付加情報をアフターレコーディングにより追加記録する方法について説明する。
【０３０６】
アフターレコーディングによる付加情報は、元の静止画情報とは別のグループ（別のＶＯＢあるいは別のＰＴＴ）とし、再生時に図１４に示す方法で合成出力（表示）する。
【０３０７】
図２２において、ステップＳＴ１１からステップＳＴ１４までは、図２１と同じ手順を経る。
【０３０８】
図２２において、システム制御部１５３０からの制御信号を基に情報記録再生部１０１内の光学ヘッド（図示せず）をアクセスさせて情報記憶媒体（光ディスク）１００１上に記録してあるＶＯＢの情報を再生し、ＡＶ出力１５４６により図１１のような表示を行なう（ステップＳＴ１８）。
【０３０９】
次に、ユーザーが表示画面を見ながら入力した付加情報を受け、入力された情報を基にフォーマッタ１５５６にて複数の静止画分をグルーピングしてＶＯＢまたはＰＴＴを構成する（ステップＳＴ１９）。
【０３１０】
最後に、フォーマッタ１５５６で作成したＶＯＢ情報を光ディスク１００１に記録する（ステップＳＴ２０）。
【０３１１】
図２３は、図８のナビゲーションデータ（ＲＴＲ＿ＶＭＧ）のデータ構造を説明する図である。このＲＴＲ＿ＶＭＧは、図１（ｅ）では制御情報１１０１および１０２１に対応し、図２のファイル構造では制御情報（ＲＴＲ．ＩＦＯ）１０１１に対応している。
【０３１２】
このナビゲーションデータＲＴＲ＿ＶＭＧのうち、ユーザ定義ＰＧＣ情報テーブルＵＤ−ＰＧＣＩＴは、ユーザ定義ＰＧＣ情報テーブル情報（ＵＤ−ＰＧＣＩＴＩ）と、１以上のユーザ定義ＰＧＣ情報のサーチポインタ＃１〜＃ｎ（ＵＤ＿ＰＧＣＩ＿ＳＲＰ＃１〜＃ｎ）と、これらのサーチポインタに対応した数のユーザ定義ＰＧＣ情報＃１〜＃ｎ（ＵＤ＿ＰＧＣＩ＃１〜＃ｎ）とで構成されている。
【０３１３】
また、個々のユーザ定義ＰＧＣ情報（ＵＤ＿ＰＧＣＩ＃１〜＃ｎのうちの１つ）またはオリジナルＰＧＣ情報（ＯＲＧ＿ＰＧＣＩ）に対応する内容のＰＧＣ情報＃ｉ（ＰＧＣＩ＃ｉ）は、ＰＧＣ一般情報（ＰＧＣ＿ＧＩ）と、１以上のプログラム情報＃１〜＃ｍ（ＰＧＩ＃１〜＃ｍ）と、１以上のセル情報サーチポインタ＃１〜＃ｎ（ＣＩ＿ＳＲＰ＃１〜＃ｎ）と、これらのサーチポインタに対応した数のセル情報＃１〜＃ｎ（ＣＩ＃１〜＃ｎ）とで構成されている。
【０３１４】
個々のセル情報サーチポインタ（ＣＩ＿ＳＲＰ＃１〜＃ｎのうちの１つ）は対応するセル情報の開始アドレス（ＣＩ＿ＳＡ）を含み、個々のセル情報（ＣＩ＃１〜＃ｎのうちの１つ）はムービーセルの情報（Ｍ＿ＣＩ）または静止画セルの情報（Ｓ＿ＣＩ）を含んでいる。
【０３１５】
なお、図２３のＲＴＲ＿ＶＭＧＩは図１（ｆ）のビデオタイトルセット情報１１０６に対応し、図２３のＭ＿ＡＶＦＩＴおよびＳ＿ＡＶＦＩＴは図１（ｆ）のビデオオブジェクト情報１１０７に対応し、図２３のＯＲＧ＿ＰＧＣＩおよびＵＤ＿ＰＧＣＩＴは図１（ｆ）のＰＧＣ制御情報１１０３に対応している。
【０３１６】
また、図２３のＰＧＣＩ＃ｉは図１（ｆ）のＰＧＣ制御情報１１０３に対応し、図２３のＣＩ＃は図１（ｆ）のセル再生情報１１０８に対応している。
【０３１７】
図２４は、図２３の静止画セル情報（Ｓ＿ＣＩ）の内容を説明する図である。このＳ＿ＣＩは、静止画セル一般情報（Ｓ＿Ｃ＿ＧＩ）と、１以上の静止画セルのエントリポイント情報＃１〜＃ｎ（Ｓ＿Ｃ＿ＥＰＩ＃１〜＃ｎ）を含んでいる。ここで、図２４のＳ＿ＣＩは図１（ｆ）のセル再生情報１１０８に対応している。
【０３１８】
図２５は、図２４の静止画セル一般情報（Ｓ＿Ｃ＿ＧＩ）の内容を説明する図である。
【０３１９】
このＳ＿Ｃ＿ＧＩは、該当セルの形式を記述したセルタイプ（Ｃ＿ＴＹ）と、このセルにより使用されるＶＯＢグループの静止画ＶＯＢグループ情報サーチポインタ番号（Ｓ＿ＶＯＧＩ＿ＳＲＰＮ）と、このセル内のセルエントリポイント情報の数（Ｃ＿ＥＰＩ＿Ｎｓ）と、このセルの静止画ＶＯＢエントリ番号の開始アドレス（Ｓ＿Ｓ＿ＶＯＢ＿ＥＮＴＮ）と、このセルの静止画ＶＯＢエントリ番号の終了アドレス（Ｅ＿Ｓ＿ＶＯＢ＿ＥＮＴＮ）とを含んでいる。
【０３２０】
ここで、図２５のＳ＿Ｓ＿ＶＯＢ＿ＥＮＴＮは図１５のＶＯＢ内静止画番号１８７５に対応し、図２５のＥ＿Ｓ＿ＶＯＢ＿ＥＮＴＮは図１５のＶＯＢ内静止画番号１８７６に対応している。
【０３２１】
図２６は、図２４の各静止画セルエントリポイント情報（Ｓ＿Ｃ＿ＥＰＩ）の内容を説明する図である。このＳ＿Ｃ＿ＥＰＩには２種類（タイプ１とタイプ２）ある。
【０３２２】
タイプ１のＳ＿Ｃ＿ＥＰＩは、エントリポイントの形式を記述したエントリポイントタイプ（ＥＰ＿ＴＹ）と、静止画ＶＯＢのエントリ番号（Ｓ＿ＶＯＢ＿ＥＮＴＮ）を含んでいる。
【０３２３】
タイプ２のＳ＿Ｃ＿ＥＰＩは、ＥＰ＿ＴＹおよびＳ＿ＶＯＢ＿ＥＮＴＮに加えて、プライマリテキスト情報（ＰＲＭ＿ＴＸＴＩ）をさらに含んでいる。このＰＲＭ＿ＴＸＴＩに、対応する静止画に関係したコメントその他の情報を記録できる。
【０３２４】
なお、図２６のＳ＿ＶＯＢ＿ＥＮＴＮは、１以上の静止画ＶＯＢエントリＳ＿ＶＯＢ＿ＥＮＴ＃（図１２および図１３のピクチャオブジェクト用ＶＯＢＵマップ１７３８、あるいは図１７のピクチャオブジェクト用ＶＯＢマップ１８９９の内容に対応）それぞれを特定する番号情報である。
【０３２５】
図２７は、図１２の静止画用付加オーディオファイル情報（Ｓ＿ＡＡＦＩ）の内容を説明する図である。
【０３２６】
このＳ＿ＡＡＦＩは、静止画用付加オーディオファイル情報の一般情報（Ｓ＿ＡＡＦＩ＿ＧＩ）と、１以上の静止画用付加オーディオグループ情報のサーチポインタ＃１〜＃ｎ（Ｓ＿ＡＡＧＩ＿ＳＲＰ＃１〜＃ｎ）と、これらのサーチポインタに対応した数の静止画用付加オーディオグループ情報＃１〜＃ｎ（Ｓ＿ＡＡＧＩ＃１〜＃ｎ）とを含んでいる。
【０３２７】
個々の静止画用付加オーディオグループ情報（Ｓ＿ＡＡＧＩ＃１〜＃ｎのうちの１つ）は、静止画用付加オーディオグループの一般情報（Ｓ＿ＡＡＧ＿ＧＩ）と、１以上の付加オーディオエントリ＃１〜＃ｎ（ＡＡ＿ＥＮＴ＃１〜＃ｎ）を含んでいる。
【０３２８】
図２８は、図２７のＳ＿ＡＡＧの一般情報（Ｓ＿ＡＡＧ＿ＧＩ）の内容を説明する図である。
【０３２９】
このＳ＿ＡＡＧ＿ＧＩは、付加オーディオエントリの数（ＡＡ＿ＥＮＴ＿Ｎｓ）と、静止画用付加オーディオストリーム情報の番号（Ｓ＿ＡＡ＿ＳＴＩＮ）と、静止画用付加オーディオファイル内のＡＡＧの開始アドレス（Ｓ＿ＡＡＧ＿ＳＡ）とを含んでいる。
【０３３０】
ここで、図２８のＡＡ＿ＥＮＴ＿Ｎｓは、図１３のＶＯＢ内静止画数１８０１あるいは図１８のＰＴＴ内静止画数１９０１に対応する値を持つ。
【０３３１】
また、図２８のＳ＿ＡＡＧ＿ＳＡは、最初の静止画アドレス（図１３のＶＯＢ内先頭静止画情報１８０２またはＶＯＢＵ内先頭Ｖ＿ＰＣＫアドレス１８０８；あるいは図１８のＰＴＴ内先頭静止画情報１９０２またはＶＯＢ内先頭Ｖ＿ＰＣＫアドレス１９０８）に対応する。
【０３３２】
図２９は、図２７の付加オーディオエントリ（ＡＡ＿ＥＮＴ）の内容を説明する図である。
【０３３３】
このＡＡ＿ＥＮＴは、付加オーディオの形式（通常のものか、あるいは暫定的に作成されたものか、等）を記述した付加オーディオタイプ（ＡＡ＿ＴＹ）と、付加オーディオストリームのサイズ（ＡＡ＿ＳＺ）と、付加オーディオストリームの再生時間（ＡＡ＿ＰＢ＿ＴＭ）とを含んでいる。
【０３３４】
ここで、図２９のＡＡ＿ＳＺは、現在の付加オーディオのＡ＿ＰＣＫアドレス（図１３のＶＯＢＵ内先頭Ａ＿ＰＣＫアドレス１８１２または図１８のＶＯＢ内先頭Ａ＿ＰＣＫアドレス１９１２）と、その次の付加オーディオのＡ＿ＰＣＫアドレス（図１３の１８１２または図１８の１９１２）との差分に対応する値を持つ。
【０３３５】
また、図２９のＡＡ＿ＰＢ＿ＴＭは、図１３のオーディオＥ＿ＰＴＭ１８１４からオーディオＳ＿ＰＴＭ１８１３を引いたもの（あるいは図１８のオーディオＥ＿ＰＴＭ１９１４からオーディオＳ＿ＰＴＭ１９１３を引いたもの）に対応する値を持つ。
【０３３６】
図３０は、図１２の静止画用ＶＯＢグループ一般情報（Ｓ＿ＶＯＧ＿ＧＩ）の内容を説明する図である。
【０３３７】
このＳ＿ＶＯＧ＿ＧＩは、該当ＶＯＢグループ内のビデオパートの数を記述した静止画ＶＯＢの数（Ｓ＿ＶＯＢ＿Ｎｓ）と、静止画ＶＯＢストリーム情報の数（Ｓ＿ＶＯＢ＿ＳＴＩＮ）と、該当ＶＯＢグループ内の最初のＶＯＢが記録されたときの時間（ＦＩＲＳＴ＿ＶＯＢ＿ＲＥＣ＿ＴＭ）と、該当ＶＯＢグループ内の最後のＶＯＢが記録されたときの時間（ＬＡＳＴ＿ＶＯＢ＿ＲＥＣ＿ＴＭ）と、静止画ＡＶファイル内の該当ＶＯＢグループの開始アドレス（Ｓ＿ＶＯＧ＿ＳＡ）とを含んでいる。
【０３３８】
ここで、図３０のＳ＿ＶＯＢ＿Ｎｓは、、図１３のＶＯＢ内静止画数１８０１あるいは図１８のＰＴＴ内静止画数１９０１に対応する値を持つ。
【０３３９】
また、図３０のＳ＿ＶＯＧ＿ＳＡは、最初の静止画アドレス（図１３のＶＯＢ内先頭静止画情報１８０２またはＶＯＢＵ内先頭Ｖ＿ＰＣＫアドレス１８０８；あるいは図１８のＰＴＴ内先頭静止画情報１９０２またはＶＯＢ内先頭Ｖ＿ＰＣＫアドレス１９０８）に対応する。
【０３４０】
図３１は、図１２の静止画用ＶＯＢエントリ（Ｓ＿ＶＯＢ＿ＥＮＴ）の内容の第１の例（タイプ１）を説明する図である。
【０３４１】
このＳ＿ＶＯＢ＿ＥＮＴタイプ１は、静止画ＶＯＢエントリの形式を記述した静止画ＶＯＢエントリタイプ（Ｓ＿ＶＯＢ＿ＥＮＴ＿ＴＹ）と、対応する静止画ビデオパートのサイズ（Ｖ＿ＰＡＲＴ＿ＳＺ）を含んでいる。
【０３４２】
ここで、Ｓ＿ＶＯＢ＿ＥＮＴ＿ＴＹは、Ｓ＿ＶＯＢ＿ＥＮＴが何タイプであるかを記述した情報ＭＡＰ＿ＴＹと、該当ＶＯＢが通常状態なのか暫定的に消去された状態（仮消去状態）なのかを記述した情報ＴＥと、含まれている副映像ストリームの数（ゼロなら含まれていないということ）を記述した情報ＳＰＳＴ＿Ｎｓとを含んでいる。
【０３４３】
また、Ｖ＿ＰＡＲＴ＿ＳＺは、該当ＶＯＢ内のビデオパートのサイズをセクタ単位で記述している。
【０３４４】
このＶ＿ＰＡＲＴ＿ＳＺは、現在の静止画のＶＯＢＵ内の先頭Ｖ＿ＰＣＫのアドレス（図１３の１８０８）と現在の静止画のＶＯＢＵ内の先頭Ａ＿ＰＣＫのアドレス（図１３の１８１２）との差分に対応している。
【０３４５】
あるいは、このＶ＿ＰＡＲＴ＿ＳＺは、現在の静止画のＶＯＢ内の先頭Ｖ＿ＰＣＫのアドレス（図１８の１９０８）と現在の静止画のＶＯＢ内の先頭Ａ＿ＰＣＫのアドレス（図１８の１９１２）との差分に対応している。
【０３４６】
図３２は、図１２の静止画用ＶＯＢエントリ（Ｓ＿ＶＯＢ＿ＥＮＴ）の内容の第２の例（タイプ２）を説明する図である。
【０３４７】
このＳ＿ＶＯＢ＿ＥＮＴタイプ２は、図３１のタイプ１のＳ＿ＶＯＢ＿ＥＮＴ＿ＴＹおよびＶ＿ＰＡＲＴ＿ＳＺの他に、該当静止画ＶＯＢに元々付随しているオーディオパートのサイズをセクタ単位で表したＡ＿ＰＡＲＴ＿ＳＺと、オーディオパートの再生時間をビデオフィールド単位で表したＡ＿ＰＢ＿ＴＭとを含んでいる。
【０３４８】
なお、実際のオーディオパートの再生時間がビデオフィールドの境界に一致しないときは、オーディオパートの末尾データのうちビデオフィールドからはみ出す分は切り捨てられる。
【０３４９】
ここで、Ａ＿ＰＡＲＴ＿ＳＺは、現在のＶＯＢＵ内先頭Ａ＿ＰＣＫアドレス（図１３の１８１２）と次のＶＯＢＵ内先頭Ｖ＿ＰＣＫアドレス（図１３の１８０８）との差分に対応している。
【０３５０】
あるいは、Ａ＿ＰＡＲＴ＿ＳＺは、現在のＶＯＢ内先頭Ａ＿ＰＣＫアドレス（図１８の１９１２）と次のＶＯＢ内先頭Ｖ＿ＰＣＫアドレス（図１８の１９０８）との差分に対応している。
【０３５１】
また、Ａ＿ＰＢ＿ＴＭは、現在のＳ＿ＰＴＭ１８１０；図１３（または現在のＳ＿ＰＴＭ１９１０；図１８）と、次のＳ＿ＰＴＭ１８１０；図１３（または次のＳ＿ＰＴＭ１９１０；図１８）との差分に対応する。
【０３５２】
あるいは、Ａ＿ＰＢ＿ＴＭは、図１３におけるＳ＿ＰＴＭ１８１３とＥ＿ＰＴＭ１８１４との差分（あるいは、図１８におけるＳ＿ＰＴＭ１９１３とＥ＿ＰＴＭ１９１４との差分）に対応する。
【０３５３】
図３３は、図１２の静止画用ＶＯＢエントリ（Ｓ＿ＶＯＢ＿ＥＮＴ）の内容の第３の例（タイプ３）を説明する図である。
【０３５４】
このＳ＿ＶＯＢ＿ＥＮＴタイプ３は、図３１のタイプ１のＳ＿ＶＯＢ＿ＥＮＴ＿ＴＹおよびＶ＿ＰＡＲＴ＿ＳＺの他に、静止画の付加オーディオグルーブ番号（Ｓ＿ＡＡＧＮ）と、付加オーディオエントリ番号（ＡＡ＿ＥＮＴＮ）とを含んでいる。
【０３５５】
ここで、Ｓ＿ＡＡＧＮは、該当ＶＯＢの付加オーディオストリームが含まれた付加オーディオグループの番号を指す。このＳ＿ＡＡＧＮは、図１５の、Ａ＿ＰＣＫ入りＶＯＢのＩＤ情報１８７７に対応している。
【０３５６】
また、ＡＡ＿ＥＮＴＮは、該当ＶＯＢの付加オーディオストリームに対応する付加オーディオエントリの番号を指す。このＡＡ＿ＥＮＴＮは、図１５の、セル内先頭静止画のＡ＿ＰＣＫを含むＶＯＢ内での静止画番号１８７８に対応している。
【０３５７】
図３４は、図１２の静止画用ＶＯＢエントリ（Ｓ＿ＶＯＢ＿ＥＮＴ）の内容の第４の例（タイプ４）を説明する図である。
【０３５８】
このＳ＿ＶＯＢ＿ＥＮＴタイプ４は、図３１のタイプ１のＳ＿ＶＯＢ＿ＥＮＴ＿ＴＹおよびＶ＿ＰＡＲＴ＿ＳＺと、図３２のタイプ２のＡ＿ＰＡＲＴ＿ＳＺおよびＡ＿ＰＢ＿ＴＭと、図３３のタイプ３のＳ＿ＡＡＧＮＡＡ＿ＥＮＴＮとを組み合わせた内容となっている。
【０３５９】
図３１〜図３４のタイプ１〜タイプ４のＳ＿ＶＯＢ＿ＥＮＴにおいて、同じフィールド名（Ｓ＿ＶＯＢ＿ＥＮＴ＿ＴＹ等）は同じ内容を持っている。
【０３６０】
図３５は、静止画ＶＯＢだけが記録される場合の、オリジナルＰＧＣ情報（図８または図２３のＯＲＧ＿ＰＧＣＩ）と静止画ビデオファイル（図２のＲＴＲ＿ＳＴＯ．ＶＲＯ）との関係を説明する図である。
【０３６１】
静止画ＶＯＢだけが記録されたオリジナルＰＧＣ内では、プログラムチェーン情報ＰＧＣＩはセルのシーケンスで構成され、各セルは静止画ＶＯＢグループに対応している。
【０３６２】
ここで、静止画ＶＯＢグループは、膨大な数の静止画ＶＯＢが記録される場合を考慮して、各静止画ＶＯＢに伴うナビゲーションデータサイズを減らすために導入されている。
【０３６３】
しかしながら、セルは、ムービーＶＯＢおよび静止画ＶＯＢを同時に参照することはできない。したがって、もしムービーＶＯＢおよび静止画ＶＯＢが交互に記録される場合は、静止画ＶＯＢグループは、１つの静止画ＶＯＢだけを含むようにしてもよい。
【０３６４】
図３５において、静止画ＶＯＢグループ情報Ｓ＿ＶＯＧＩ＃２が、図１０（ａ１）〜図１０（ｄ３）のＶＯＢ１６３１〜１６３３に対応する場合を想定してみる。
【０３６５】
この想定の下でいえば、たとえば図１０ＢのＶＯＢＵ１６４１、図１０（ｂ２）のＶＯＢＵ１６４４、および図１０（ｃ２）のＶＯＢＵ１６４６がＳ＿ＶＯＧＩ＃２に含まれる。そして、図３５の静止画ＶＯＢグループ＃２内のビデオパートは、図１０（ａ３）のパック１６６１〜１６６３および１６８１、図１０（ｂ３）のパック１６６５、あるいは図１０（ｃ３）のパック１６６８〜１６７０および１６８３に対応するようになる。
【０３６６】
また、図３５のＳ＿ＶＯＧＩ＃２が、図１４（ａ１）のＶＯＢ＃Ａに対応する場合を想定してみる。
【０３６７】
この想定の下でいえば、たとえば図１４（ａ２）のＶＯＢＵ１８２６の静止画番号２がＳ＿ＶＯＧＩ＃２のＶＯＢエントリ番号２に対応し、図１４（ａ３）の静止画１８３２のパック１８５２、１８４８、１８６２が図３５のＲＴＲ＿ＳＴＯ＿ＶＲＯファイルの中央のビデオパートおよびオーディオパートに対応し、図１４（ａ３）の静止画１８３３のパック１８５３がＲＴＲ＿ＳＴＯ＿ＶＲＯファイルの後方のビデオパートに対応するようになる。
【０３６８】
図３６は、オリジナルＰＧＣ情報（ＯＲＧ＿ＰＧＣＩ）と静止画の付加オーディオ部分（図２のＲＴＲ＿ＳＴＡ．ＶＲＯ）との関係を説明する図である。
【０３６９】
ＶＯＢエントリは、関連するビデオパートおよびオーディオパートに対するアクセス情報を含む。これらのビデオパートおよびオーディオパートは、ともにＲＴＲ＿ＳＴＯ．ＶＲＯファイル内に記録されている。このオーディオパートは、関連するビデオパートの直後に記録される。
【０３７０】
ビデオパートに伴う付加オーディオパートがＲＴＲ＿ＳＴＡ．ＶＲＯファイル内に記録されるときは、付加オーディオエントリはＶＯＧＩ以外のデータフィールド内に記述され、ＶＯＢエントリから付加オーディオエントリまでのリンクは、このＶＯＢエントリ内に記述される。
【０３７１】
図３６において、付加オーディオのファイルＲＴＲ＿ＳＴＡ．ＶＲＯが、図１４（ｂ１）のＶＯＢ＃Ｂに対応する場合を想定してみる。
【０３７２】
この想定の下でいえば、たとえば図１４（ｃ）のＡ＿ＰＣＫ１８６５、１８６６から図１４（ｂ３）のＡ＿ＰＣＫ１８６５、１８６６への矢印が、図３６のＳ＿ＶＯＧＩ＃２中のＶＯＢエントリからその右隣の付加オーディオエントリへの矢印に対応する。
【０３７３】
この場合、Ａ＿ＰＣＫ１８６６の矢印に注目すれば、図１４（ｂ３）のＡ＿ＰＣＫ１８６６が図３６のＲＴＲ＿ＳＴＡ．ＶＲＯの中央のオーディオパートに対応し、図１４（ｂ２）の静止画番号ｈ＋ｊ−２が、図３６の付加オーディオエントリのうちＡ＿ＰＣＫ１８６６に対応する部分を構成する。
【０３７４】
上記矢印で結ばれる情報部分（図３６のＶＯＢエントリ部分と付加オーディオエントリ部分）は、図１（ｆ）のセル再生情報１１０８あるいは図２４のＳ＿ＣＩを利用して、リンクさせることができる。
【０３７５】
なお、図３６のＲＴＲ＿ＳＴＡ．ＶＲＯファイル中の中央オーディオパートがアフターレコーディングのオーディオ情報である場合は、このオーディオパートに対応する図１４（ｂ３）のＡ＿ＰＣＫ１８６６は、図３（ｆ）で示したようなダミーパックＤＭ＿ＰＣＫを利用して構成できる。
【０３７６】
図３７は、静止画ＶＯＢ（ＲＴＲ＿ＳＴＯ．ＶＲＯファイル）およびムービーＶＯＢ（ＲＴＲ＿ＭＯＶ．ＶＲＯファイル）を含むオリジナルＰＧＣ情報（図８または図２３のＯＲＧ＿ＰＧＣＩ）の構成例を説明する図である。
【０３７７】
図３７において、ＰＧＣＩ＃１のプログラム＃１が図９（ｂ２）のＶＴＳ１７６２に対応し、Ｓ＿ＶＯＧＩ＃１およびＳ＿ＶＯＧＩ＃２が図９（ｂ３）のＶＯＢ＃Ｄ１７７４およびＶＯＢ＃Ｅ１７７５に対応し、Ｍ＿ＶＯＢＩ＃１およびＭ＿ＶＯＢＩ＃２が図９（ｂ３）のＶＯＢ＃Ａ１７７１およびＶＯＢ＃Ｂ１７７２に対応する場合を想定してみる。
【０３７８】
この想定の下でいえば、図９（ｂ３）のピクチャオブジェクト１０１３が図３７のＲＴＲ＿ＳＴＯ．ＶＲＯファイルの内容（ビデオパートおよびオーディオパート）を構成し、図９（ｂ３）のビデオオブジェクト１０１２が図３７のＲＴＲ＿ＭＯＶ．ＶＲＯファイルの内容（ＶＯＢ＃１、ＶＯＢ＃２、…）を構成する。
【０３７９】
図３７において、ＰＧＣＩ中のセル＃とＳ＿ＶＯＧＩ＃中のＶＯＢエントリとは、たとえば図２５のＳ＿Ｓ＿ＶＯＢ＿ＥＮＴＮおよびＥ＿Ｓ＿ＶＯＢ＿ＥＮＴＮを利用して、リンクさせることができる。
【０３８０】
また、ＲＴＲ＿ＳＴＯ．ＶＲＯファイル中のビデオパートあるいはオーディオパートの論理アドレスとＳ＿ＶＯＧＩ＃のＶＯＢエントリで指定されるＶＯＢ番号とは、たとえば図４および図５の関係を利用して、リンクさせることができる。
【０３８１】
ここで、図３７のＭ＿ＶＯＢＩ＃中のタイムマップＴＭＡＰについて説明しておく。
【０３８２】
図８または図２３のムービーＡＶファイル情報テーブルＭ＿ＡＶＦＩＴは、図示しないが、ムービーＡＶファイル情報一般情報（Ｍ＿ＡＶＦＩ＿ＧＩ）と、１以上のムービーＶＯＢ情報サーチポインタ（Ｍ＿ＶＯＢＩ＿ＳＲＰ＃１〜＃ｎ）と、このサーチポインタに対応する数のムービーＶＯＢ情報（Ｍ＿ＶＯＢＩ＃１〜＃ｎ）とを含んでいる。
【０３８３】
各Ｍ＿ＶＯＢＩ＃は、図示しないが、ムービーＶＯＢ一般情報（Ｍ＿ＶＯＢＩ＿ＧＩ）と、シームレス情報（ＳＭＬＩ）と、オーディオギャップ情報（ＡＧＡＰＩ）と、タイムマップ情報（ＴＭＡＰＩ）とを含んでいる。
【０３８４】
このＴＭＡＰＩは、特別な再生（ユーザ定義ＰＧＣを利用した個別ユーザ独自の順序によるセル再生など）およびタイムサーチを実行する際に利用される。
【０３８５】
ＴＭＡＰＩは、図示しないが、タイムマップ一般情報（ＴＭＡＰ＿ＧＩ）と、１以上のタイムエントリ（ＴＭ＿ＥＮＴ＃１〜＃ｒ）と、１以上のＶＯＢＵエントリ（ＶＯＢＵ＿ＥＮＴ＃１＃ｑ）とを含んでいる。
【０３８６】
各ＶＯＢＵエントリは、各ＶＯＢＵのサイズおよび再生時間の情報を含む。ＶＯＢＵのサイズはセクタ（２ｋバイトまたは２０４８バイト）単位で示され、再生時間はビデオフィールド（ＮＴＳＣでは１フィールド１／６０秒；ＰＡＬでは１フィールド１／５０秒）単位で示される。
【０３８７】
ＶＯＢＵのサイズは上述のようにセクタ単位で示されるため、ＶＯＢＵにはセクタ単位のアドレスでアクセスできる。
【０３８８】
各ＶＯＢＵエントリは、図示しないが、基準ピクチャサイズ情報１ＳＴＲＥＦ＿ＳＺと、ＶＯＢＵ再生時間情報ＶＯＢＵ＿ＰＢ＿ＴＭと、ＶＯＢＵサイズ情報ＶＯＢＵ＿ＳＺとを含んでいる。
【０３８９】
ここで、ＶＯＢＵ＿ＰＢ＿ＴＭは、該当ＶＯＢＵの再生時間をビデオフィールド単位で表したものである。また、基準ピクチャサイズ情報１ＳＴＲＥＦ＿ＳＺは、該当ＶＯＢＵの最初の基準ピクチャ（ＭＰＥＧのＩピクチャに対応）のサイズをセクタ単位で表したものである。
【０３９０】
一方、各タイムエントリは、図示しないが、対応ＶＯＢＵのアドレス情報（ＶＯＢＵ＿ＡＤＲ）と、時間差情報（ＴＭ＿ＤＩＦＦ）を含む。この時間差情報は、タイムエントリにより指定される再生時間とＶＯＢＵの再生開始時間との差を示したものである。
【０３９１】
いま、２つの連続タイムエントリの時間間隔（タイムユニットＴＭＵ）が１０秒であるとすれば、このタイムエントリ間隔は、たとえばＮＴＳＣビデオで６００フィールドに相当することになる。
【０３９２】
なお、通常は、ＶＯＢＵエントリでは「ＶＯＢＵの時間間隔」をフィールド数で表しているが、他の方法として、「ＶＯＢＵの時間間隔」を表すのに、「あるＶＯＢＵから次のＶＯＢＵまでのクロックカウンタによるカウント値」を利用することもできる。
【０３９３】
具体的に例示すれば、「１個のＶＯＢＵの先頭位置でのプレゼンテーションタイムスタンプＰＴＳとその直後のＶＯＢＵの先頭位置でのＰＴＳの値との間の差分値」で「ＶＯＢＵの時間間隔」を表すことができる。
【０３９４】
換言すれば、「特定ユニット内でのクロックカウンタの差分値でそのユニット内の時間間隔を示す」ことができる。
【０３９５】
タイムマップ一般情報ＴＭＡＰ＿ＧＩは、図示しないが、該当タイムマップ情報内のタイムエントリ数を示すＴＭ＿ＥＮＴ＿Ｎｓと、該当タイムマップ情報内のＶＯＢＵエントリ数を示すＶＯＢＵ＿ＥＮＴ＿Ｎｓと、該当タイムマップ情報に対するタイムオフセットＴＭ＿ＯＳＦと、該当タイムマップ情報のアドレスオフセットＡＤＲ＿ＯＦＳとを含んでいる。
【０３９６】
ＮＴＳＣビデオで６００フィールド（あるいはＰＡＬビデオで５００フィールド）に相当する値（１０秒相当）をタイムユニットＴＭＵとした場合において、上記タイムオフセットＴＭ＿ＯＳＦは、ＴＭＵ以内の時間のずれを示すのに用いられる。
【０３９７】
また、ＶＯＢのサイズをセクタ数で表す場合において、上記アドレスオフセットＡＤＲ＿ＯＦＳは、ＡＶファイルの先頭からのファイルポインタを示すのに用いられる。
【０３９８】
タイムエントリＴＭ＿ＥＮＴは、図示しないが、対応するＶＯＢＵエントリの番号を示すＶＯＢＵ＿ＥＮＴＮと、タイムエントリにより指定されたＶＯＢＵの再生開始時間と算出された再生時間との時間差を示すＴＭ＿ＤＩＦＦと、目標のＶＯＢＵアドレスを示すＶＯＢＵ＿ＡＤＲとを含んでいる。
【０３９９】
ＮＴＳＣにおいてタイムユニットＴＭＵを６００フィールドで表した場合（あるいはＰＡＬにおいてタイムユニットＴＭＵを５００フィールドで表した場合）、タイムエントリ＃ｊに対する上記「算出された再生時間」は、ＴＭＵ×（ｊー１）＋ＴＭ＿ＯＳＦで表すことができる。
【０４００】
また、上記ＶＯＢＵ＿ＡＤＲは、ＶＯＢＵサイズをセクタ単位で表した場合において、該当ＶＯＢの先行ＶＯＢＵｓの合計サイズにより目標のＶＯＢＵアドレスを表したものである。
【０４０１】
上に例示したようなデータ構成において、あるＶＯＢＵの途中から再生を開始するには、そのアクセスポイントを確定しなければならない。このアクセスポイントをタイムエントリポイントとする。
【０４０２】
このタイムエントリポイントは、ＶＯＢＵのムービーアドレス情報が示す位置から、タイムエントリＴＭ＿ＥＮＴ内の時間差情報ＴＭ＿ＤＩＦＦが示す時間差だけ離れた位置にある。このタイムエントリポイントが、タイムマップ情報ＴＭＡＰＩにより示される特別な再生開始点（あるいはタイムサーチ点）となる。
【０４０３】
図３７のＰＧＣＩ中のセル＃とＭ＿ＶＯＢＩ＃中のタイムマップＴＭＡＰとは、Ｓ＿ＶＯＧＩ＃の場合と同様な考え方で、リンクさせることができる。
【０４０４】
図３７は、再生開始時間に対応するビデオフィールドがＶＯＢＵ＃ｋの中間にある場合を例示している。この再生開始時間により特定されるビデオフィールドからのビデオーフィールド群のシーケンスを表示するために、その先頭からのＶＯＢＵデータをデコーダに入力する必要がある。その理由は、デコーダは、たとえデコードされたフィールドが表示されるものでなくても、再生開始時間より以前の再生時間を持つ全ての基準ビデオフィールドをデコードする必要があるためである。このデコーダは、デコード作業が再生開始時間に対応するビデオフィールドに到達したら、ビデオ映像の表示を開始する。
【０４０５】
再生開始時間に対応するビデオフィールドから正確に表示開始できるように装置（システム）を構成することは、必ずしも絶対的に必要な事項ではないが、望ましいことである。
【０４０６】
図３８は、ユーザ定義ＰＧＣ情報（図６）が静止画ＶＯＢグループを参照する場合を説明する図である。
【０４０７】
ユーザ定義ＰＧＣは、各々がムービーＶＯＢあるいは静止画ＶＯＢグループそれぞれを参照する２種類のセルを含むことができる。
【０４０８】
図３８は、静止画ＶＯＢを参照するユーザ定義ＰＧＣの一例を示している。この図において、ユーザ定義ＰＧＣ内のセル＃１は静止画ＶＯＢグループ＃２を参照している。
【０４０９】
ここで、オリジナルＰＧＣ内のセル＃２は、静止画ＶＯＢグループ内の最初の静止画ＶＯＢ番号および最後の静止画ＶＯＢ番号を指定することにより、静止画ＶＯＢグループ＃２全体を参照している。が、ユーザ定義ＰＧＣ内のセル＃１は、最後の静止画ＶＯＢ番号を指定するとともに２番目の静止画ＶＯＢを最初の静止画ＶＯＢ番号として指定することにより、このＶＯＢグループ内の静止画ＶＯＢだけを参照している。
【０４１０】
図３８において、ＰＧＣＩが、たとえば図３（ｈ）のＰＧＣ（ＰＧＣＩ）１４４６に対応する場合を想定してみる。この場合、図３８のＰＧＣＩ中のセル＃１、＃２は図３（ｇ）のセル１４４１、１４４２に対応する。また、図３８のＲＴＲ＿ＳＴＯ．ＶＲＯファイル中の先頭ビデオパートは、図３（ｆ）のＶ＿ＰＣＫ１４２１およびＳＰ＿ＰＣＫ１４２２の塊に対応する。さらに、上記先頭ビデオパートの直後に続くビデオパート、図３（ｆ）のＡ＿ＰＣＫ１４２３およびＤＭ＿ＰＣＫ１４２４の塊に対応する。
【０４１１】
次に、上述した各実施の形態における特徴的な部分をまとめて記述する。
【０４１２】
ａ〕１ＶＯＢあるいは１ＰＴＴは、複数の静止画情報を含むことができる。
【０４１３】
ｂ〕複数の静止画記録時に、１ＶＯＢには、その空き領域に少なくとも２枚の静止画情報を連続して記録することができる。
【０４１４】
ｃ〕セル情報（Ｓ＿ＣＩ）で複数枚の連続した静止画情報を指定可能である。
【０４１５】
上記ａ）〜ｃ）の効果は各実施の形態に共通である。
【０４１６】
すなわち、高性能なデジタルカメラでは何千枚、何万枚の静止画が記録できる。光ディスクにデータ転送した場合、複数枚毎にグルーピングしてデータを光ディスクに記録した方が処理が容易になるとともに、転送時間が短い。
【０４１７】
また、高性能なデジタルカメラでは何千枚、何万枚の静止画が記録できる。１枚ずつの静止画毎にＶＯＢを構成し、ＶＯＢ情報を作成したのでは管理情報が膨大になる。この発明方法により管理情報が大幅に削減できる。
【０４１８】
さらに、デジタルカメラでは１枚毎の静止画情報が別々のファイルになっているため、管理検索が煩雑となっていた。この発明で複数枚毎にグルーピングするため管理・検索が容易になる。
【０４１９】
また、デジタルカメラでは１枚毎の静止画情報が別々のファイルになっているため１個ずつのファイルを開かないと静止画内容の確認ができなかった。この発明で複数枚毎にグルーピングすることにより図１１のように写真のポジフィルム（またはネガフィルム）を見るような容易さでユーザーが内容確認できる。
【０４２０】
さらに、複数のビデオフレームに渡る映像情報はＶＯＢ単位で記録してある。複数の静止画情報もＶＯＢ単位で記録することにより、映像情報と静止画情報を同一階層（図２では同じレベルのディレクトリ）で扱え、たとえば１個のＰＧＣ内に映像情報のセルと静止画情報のセルを混在配置できるなど、映像情報と静止画情報の混在表示が可能となり、表現の幅が増す。
【０４２１】
ｄ〕ＶＯＢＵマップ（Ｓ＿ＶＯＢ＿ＥＮＴ＃）またはＶＯＢマップの存在がある。
【０４２２】
ｅ〕ＤＶＤ＿ＲＴＲレコーダは、ＶＯＢＵマップまたはＶＯＢマップを記録する構成を持つ。
【０４２３】
上記ｄ）、ｅ）の効果は各実施の形態に共通した内容である。
【０４２４】
静止画１枚毎の記録アドレスなどの情報が記録されているＶＯＢＵマップまたはＶＯＢマップを利用して見たい静止画にダイレクトにアクセスが可能となり、複数の静止画に対する表示のためのアクセス速度が大幅に高速化される。
【０４２５】
また、複数の静止画を連続して表示する場合、再生時間情報（ＰＴＭ）および／またはシステムクロックリファレンス情報（ＳＣＲ）を利用することにより、シームレスな（静止画間のつなぎ目が連続な）表示が可能となる。
【０４２６】
さらに、静止画そのものが記録してあるＶ_ＰＣＫと音声情報が記録してあるＡ_ＰＣＫの先頭アドレスが別々に記載されているため、静止画情報だけ、もしくは音声情報だけ再生したい場合に高速なアクセスが容易となる。その結果、特定のＶＯＢ内の音声情報をマルチに別のＶＯＢの静止画表示に利用する場合に（音声情報だけ高速にアクセスできるので）シームレスな表示が可能となる。
【０４２７】
ｆ〕セル情報（Ｓ＿ＣＩ）で指定する対象物はＶＯＢ内の個々の静止画である。
【０４２８】
このため、再生時に個々の静止画そのものを指定できるので（ＶＯＢＵマップまたはＶＯＢマップを用いて）高速にアクセスが行え、複数の静止画を順次表示する場合などにシームレスな表示が可能となる。
【０４２９】
また、再生時に個々の静止画そのものを指定できるので、再生時の管理が非常に容易となり、図１１のように画面に一度に複数枚の静止画を表示する時などの処理が簡単となる。
【０４３０】
ｇ〕セル情報（Ｓ＿ＣＩ）で、異なるＶＯＢ内静止画情報をマルチ指定可能である。
【０４３１】
このために、１個のＶＯＢ内の連続した音声情報を別のＶＯＢの表示の時に利用できるため、表現方法に幅が生まれる。
【０４３２】
さらに、１個のＶＯＢ内の連続した音声情報を別のＶＯＢの表示の時に利用できるため、データの兼用化が図れ、情報記憶媒体（光ディスク１００１）に記録するデータ量の省スペース化が推進できる。その結果、１枚の情報記憶媒体（光ディスク１００１）当たりの実質的な記録できる量が大幅に増す。
【０４３３】
また、既に記録してある映像情報に対してビデオオブジェクト１０１２自体を一切加工することなく、対応したピクチャオブジェクト用ビデオオブジェクト情報（Ｓ＿ＡＶＦＩＴ）を新規作成するだけで、既にある映像情報を静止画情報として組み合わせて使うことができる。
【０４３４】
ｈ〕セル情報を再生し、ＶＯＢ情報（ＶＯＢＩ）を利用して静止画を再生する。
【０４３５】
このため、ピクチャオブジェクト１０１３の内容の管理情報であるピクチャオブジェクト用ビデオオブジェクト情報とは独自にピクチャオブジェクト用セル再生情報（Ｓ＿ＣＩ）を設定できるので、静止画の情報記憶媒体（光ディスク１００１）に記録された順番に関係なく再生順を指定できる。このことから、表現の自由度が飛躍的に向上する。
【０４３６】
ｉ〕この発明は、静止画情報、音声情報をメモリから読み取りし、両者を同時に再生できる装置を提供する。
【０４３７】
異なるＶＯＢ内静止画情報をマルチ指定する場合や、複数枚の静止画の音声情報だけがまとめて別の領域に記録されていた場合、１枚の静止画毎にその都度Ｖ_ＰＣＫ、ＳＰ_ＰＣＫ、Ａ_ＰＣＫを順次再生していたのではアクセス頻度が非常に多くなり、複数枚の静止画を順次表示する場合に（光学ヘッドのアクセス待ち時間の影響を受けて）連続表示が難しくなる。
【０４３８】
それに対して、Ｖ_ＰＣＫ、ＳＰ_ＰＣＫ、Ａ_ＰＣＫの内、いずれかに対して少なくとも２枚分の情報を一度に再生し、メモリー１５６３に一時保存し、残りの情報再生時に同時に表示すれば光学ヘッドのアクセス頻度が大幅に低下し、連続表示が容易になる。
【０４３９】
ｊ〕この発明は、既に記録された静止画への付加情報をまとめて記録するアフターレコーディング記録ができる装置を提供する。
【０４４０】
たとえば音声入力機能を持たないデジタルカメラで撮影した静止画情報をそのまま情報記憶媒体（光ディスク１００１）に記録すると、その記録結果は図１０（ｃ３）に示すようにオーディオパックＡ_ＰＣＫを含まない構造になっている。
【０４４１】
その情報を再生し、図１１のように画面表示させながら１枚１枚に対して解説やコメントを“マイクによる音声入力”“手書きによるマークの重ね書き”“キーインによるテキスト情報の追加”などの方法により追加する場合を考える。
【０４４２】
この場合、記録フォーマットを図１０（ｃ３）のＡ_ＰＣＫを含まない構造から図１０（ｂ３）のようにＡ_ＰＣＫを含む構造に変化させようとすると情報記憶媒体（光ディスク１００１）上への記録のやり直し処理が発生し、処理が面倒になるとともに、処理時間が大幅に掛かってしまう。それに対し、図１０（ｃ３）に示すオーディオパックＡ_ＰＣＫを含まないデータに手を加えることなく、追加情報のみを図１０（ｄ）のように別ＶＯＢ１６３４にして情報記憶媒体（光ディスク１００１）上に記録すれば、静止画に対する後での情報の追加処理が非常に簡単かつ短時間で行える。
【０４４３】
図３９は、プログラムを保護するプロテクト情報およびその格納場所を説明する図である。
【０４４４】
図１（ｄ）（ｅ）に示すように、ＤＶＤ＿ＲＴＲディスク１００１に記録される制御情報（ＲＴＲ．ＩＦＯ）１０１１には、ナビゲーションデータＲＴＲ＿ＶＭＧが含まれる。
【０４４５】
図１（ｆ）または図８に示すように、ナビゲーションデータＲＴＲ＿ＶＭＧは、ＰＧＣ情報（オリジナルＰＧＣ情報ＯＲＧ＿ＰＧＣＩおよびユーザ定義ＰＧＣ情報のテーブルＵＤ＿ＰＧＣＩＴ）を含む。
【０４４６】
図６に示すように、各ＰＧＣ情報（ＵＤ＿ＰＧＣＩ＃ｉ）は、１以上のプログラム情報（ＰＧＩ＃１、ＰＧＩ＃２、…ＰＧＩ＃ｍ）を含む。
【０４４７】
また、図２３に示すように、オリジナルＰＧＣ情報またはユーザ定義ＰＧＣ情報（これらを纏めてＰＧＣ情報ＰＧＣＩという）は、１以上のプログラム情報（ＰＧＩ＃１、ＰＧＩ＃２、…ＰＧＩ＃ｍ）を含む。
【０４４８】
以上のような情報の階層構造において、図３９に示すように、各プログラム情報（たとえばＰＧＩ＃１）は、プログラムタイプＰＧ＿ＴＹと、該当プログラムＰＧ内のセル数Ｃ＿Ｎｓと、一次テキスト情報ＰＲＭ＿ＴＸＴＩと、アイテムテキストサーチポインタ番号ＩＴ＿ＴＸＴ＿ＳＲＰＮと、サムネールポインタ情報ＴＨＭ＿ＰＴＲＩを含んでいる。
【０４４９】
そして、各プログラム情報ＰＧＩ＃のプログラムタイプＰＧ＿ＴＹに、そのプログラムが誤消去されるのを防ぐためのプロテクト情報（消去禁止フラグ）が記述されるようになっている。
【０４５０】
このプロテクト情報のフラグが０ｂにセットされているときは、該当プログラムは保護されておらず、消去可能（または上書き可能）な状態になっている。
【０４５１】
一方、このプロテクト情報のフラグが１ｂにセットされると、該当プログラムは誤消去等から保護され、消去不可能（または上書き不可能）な状態になる。ただし、プロテクト情報のフラグが１ｂにセットされたプログラムの再生は、可能である。
【０４５２】
図３９のプロテクト情報は、該当プログラム（ＰＧＩ＃）各々の、属性情報として取り扱うことができる。
【０４５３】
図４０は、静止画の仮消去フラグ（ＴＥ）およびその格納場所を説明する図である。
【０４５４】
前述したように、ＤＶＤ＿ＲＴＲディスク１００１に記録される制御情報（ＲＴＲ．ＩＦＯ）１０１１には、ナビゲーションデータＲＴＲ＿ＶＭＧが含まれる。
【０４５５】
図１（ｆ）または図８に示すように、ナビゲーションデータＲＴＲ＿ＶＭＧは、ＡＶファイル情報（ムービーＡＶファイル情報テーブルＭ＿ＡＶＦＩＴおよび静止画ＡＶファイル情報テーブルＳ＿ＡＶＦＩＴ）を含む。
【０４５６】
図１２に示すように、静止画ＡＶファイル情報テーブルＳ＿ＡＶＦＩＴは、１以上の静止画ＶＯＢグループ情報（Ｓ＿ＶＯＧＩ＃１、Ｓ＿ＶＯＧＩ＃２、…）を含む。
【０４５７】
以上のような情報の階層構造において、図４０に示すように、各静止画ＶＯＢグループ情報（たとえばＳ＿ＶＯＧＩ＃１）は、静止画ＶＯＢグループ一般情報Ｓ＿ＶＯＧ＿ＧＩと、１以上の静止画ＶＯＢエントリ（Ｓ＿ＶＯＢ＿ＥＮＴ＃１、…Ｓ＿ＶＯＢ＿ＥＮＴ＃ｎ）を含んでいる。
【０４５８】
各静止画ＶＯＢエントリ（たとえばＳ＿ＶＯＢ＿ＥＮＴ＃１）は、図３１〜図３４のタイプ１〜タイプ４のいずれかに属し、いずれの場合であっても、静止画ＶＯＢエントリのタイプＳ＿ＶＯＢ＿ＥＮＴ＿ＴＹを含む。
【０４５９】
このＳ＿ＶＯＢ＿ＥＮＴ＿ＴＹに、それが図３１〜図３４のタイプ１〜タイプ４のいずれに属するのかを示すマップタイプＭＡＰ＿ＴＹと、仮消去フラグＴＥと、副映像ストリーム数ＳＰＳＴ＿Ｎｓが記述されるようになっている。
【０４６０】
この仮消去フラグＴＥが０ｂにセットされているときは、該当ＶＯＢグループは通常の状態にあり、再生可能な状態になっている。
【０４６１】
一方、この仮消去フラグＴＥが１ｂにセットされると、該当ＶＯＢグループは再生対象から外され（あるいはマスクされ）、再生されない状態（実際には消去されていなくても、再生時にスキップされ、あたかも消去されてしまったかの如くに取り扱われる状態）になる。ただし、仮消去フラグＴＥが１ｂにセットされたＶＯＢグループまたはこのようなＶＯＢグループからなるプログラムは、フラグＴＥを０ｂにリセットすれば、再生可能となる。
【０４６２】
図４０の仮消去フラグＴＥは、該当ＶＯＢグループまたはこのようなＶＯＢグループからなるプログラム各々の、属性情報として取り扱うことができる。
【０４６３】
図４１は、保護されたプログラムＰＧ＃２の一部が消去可能状態および仮消去状態に設定し直された場合を説明する図である。
【０４６４】
図４１の例において、プロテクト（消去禁止）範囲が変更される前のプログラムＰＧ＃１〜ＰＧ＃３は、以下のように配列されている：
（１）プログラムＰＧ＃１＝静止画Ａ１、Ａ２、…からなるＶＯＢグループＶＯＧ＃Ａ；
（２）プログラムＰＧ＃２＝静止画Ｂ１〜Ｂ１６２からなるＶＯＢグループＶＯＧ＃Ｂ（プロテクトされて消去禁止）＋静止画Ｃ１〜Ｃ９からなるＶＯＢグループＶＯＧ＃Ｃ（プロテクトされて消去禁止）；
（３）プログラムＰＧ＃３＝静止画Ｄ１、…からなるＶＯＢグループＶＯＧ＃Ｄ。
【０４６５】
この場合の再生順序は、対応するＰＧＣ情報（ＰＧＣＩ）により、ＰＧ＃１→ＰＧ＃２→ＰＧ＃３となる。
【０４６６】
以上の例において、プロテクト（消去禁止）範囲が変更された後のプログラムＰＧ＃１〜ＰＧ＃５は、以下のように再配列される：
（１）プログラムＰＧ＃１＝静止画Ａ１、Ａ２、…からなるＶＯＢグループＶＯＧ＃Ａ；
（２ａ）変更後のプログラムＰＧ＃２＝静止画Ｂ１〜Ｂ８０からなる、変更後のＶＯＢグループＶＯＧ＃Ｂ（プロテクトされて消去禁止の状態）；
（２ｂ）新たなプログラムＰＧ＃４＝静止画Ｂ８１〜Ｂ９９からなる、新たなＶＯＢグループＶＯＧ＃Ｅ（プロテクトが解除されて消去可能な状態）；
（２ｃ）新たなプログラムＰＧ＃５＝静止画Ｂ１００〜Ｂ１６２からなる、新たなＶＯＢグループＶＯＧ＃ｆ（仮消去フラグＴＥが１ｂに設定されて再生されない状態）＋静止画Ｃ１〜Ｃ９からなるＶＯＢグループＶＯＧ＃Ｃ（仮消去フラグＴＥが１ｂに設定されて再生されない状態）
（３）プログラムＰＧ＃３＝静止画Ｄ１、…からなるＶＯＢグループＶＯＧ＃Ｄ。
【０４６７】
この場合の再生順序は、変更後のＰＧＣ情報（ＰＧＣＩ）により、ＰＧ＃１→ＰＧ＃２→ＰＧ＃４→ＰＧ＃３となる（仮消去フラグＴＥが１ｂに設定されたＰＧ＃５の再生はスキップされる）。
【０４６８】
ＶＯＧに関する属性情報が記載されている管理情報記録エリア（図４０のＳ＿ＶＯＧＩ）内には、その中で対象となる静止画１枚毎の属性情報（ＭＡＰ＿ＴＹ、ＴＥ、ＳＰＳＴ＿Ｎｓ）が、Ｓ＿ＶＯＢ＿ＥＮＴ内に記録されている。この属性情報の一部（仮消去フラグＴＥ）により、静止画１枚毎の仮消去が設定可能となっている。
【０４６９】
再生時には、仮消去された静止画は再生モニタ画面（図１１）に表示されない。たとえば、図１１のスポーツカー、パーソナルコンピュータおよび走るビジネスマンが、それぞれ、図４１の静止画Ｃ８、Ｃ９およびＤ１であるとする。そして、静止画Ｃ８以前および静止画Ｄ１以後の静止画の仮消去フラグＴＥは０ｂであり、静止画Ｃ９（図１１ではパーソナルコンピュータ）だけに仮消去フラグＴＥが設定（ＴＥ＝１ｂ）されていたとする。
【０４７０】
この場合、図４１のＰＧ＃１の静止画Ａ１から順に静止画再生が行われる（図１１では画面が左方向にスクロールする）とき、静止画Ｃ８（スポーツカー）の再生の次は静止画Ｄ１（走るビジネスマン）となり、静止画Ｃ９（実際に消去されてはいないが仮消去状態にあるパーソナルコンピュータの画像）は、再生画面には出てこない。この場合、図１１のモニタを見ているユーザには、スポーツカーの直後に（スペースなしで）走るビジネスマンが配置されているように見える。
【０４７１】
図１の記録媒体（光ディスク）１００１に記録される１枚以上の静止画はＶＯＢグループ（ＶＯＧ）というグループにまとめられ、このグループ単位で静止画が管理される。
【０４７２】
媒体１００１に記録された全てのＡＶ情報は、オリジナルＰＧＣ情報に基づきシーケンシャルに再生できる。このオリジナルＰＧＣは１以上のプログラムで構成される。
【０４７３】
消去禁止フラグ（図３９のプロテクト情報）はプログラム単位で設定できるようになっている。
【０４７４】
消去禁止フラグが設定された（プロテクト情報＝１ｂ）プログラムに含まれる全ての静止画は消去禁止状態になる。
【０４７５】
消去禁止状態になっている静止画の一部を消去可能状態に戻すには、「ＶＯＢグループ（ＶＯＧ）の再設定」と、「プログラムの再設定」が必要になる。この、「ＶＯＢグループ（ＶＯＧ）の再設定」および「プログラムの再設定」の具体例を、以下で説明する。
【０４７６】
図４２は、保護されたプログラムＰＧ＃２の一部を消去可能状態および仮消去状態に設定し直す手順の一例を説明するフローチャートである。この処理は、図１９のシステム制御部１５３０の内部ＭＰＵにより、実行できる。以下、図４１を参照しつつ図４２の手順を説明する。
【０４７７】
初めに、静止画Ｂ１〜Ｂ１６２からなるＶＯＧ＃Ｂと静止画Ｃ１〜Ｃ９からなるＶＯＧ＃ＣとによってプログラムＰＧ＃２が構成され、このプログラムＰＧ＃２がプロテクト（消去禁止）になっているとする。
【０４７８】
このようなプログラムＰＧ＃２のプロテクト状態および仮消去状態は、以下に例示するような手順で、変更できる。
【０４７９】
すなわち、図４２において、まず、ＶＯＧ＃Ｂに含まれる静止画の範囲を、Ｂ１〜Ｂ８０に定義し直す（ステップＳＴ１００）。
【０４８０】
次に、ＰＧ＃２に含まれるＶＯＢグループがＶＯＧ＃Ｂのみであると設定し直す（ステップＳＴ１０２）。
【０４８１】
次に、静止画Ｂ８１〜Ｂ９９の範囲を新たにグループ化してＶＯＧ＃Ｅとする（ステップＳＴ１０４）。
【０４８２】
次に、ＶＯＧ＃Ｅのみで構成される新たなプログラムＰＧ＃４を定義する（ステップＳＴ１０６）。その際、新たなＰＧ＃４には仮消去フラグＴＥは設定されず、ＶＯＧ＃Ｅは消去可能（もちろん再生も可能）となっている。
【０４８３】
次に、静止画Ｂ１００〜Ｂ１６２の範囲を新たにグループ化してＶＯＧ＃Ｆとする（ステップＳＴ１０８）。
【０４８４】
次に、ＶＯＧ＃ＦとＶＯＧ＃Ｃをまとめて、新たにプログラムＰＧ＃５を定義する（ステップＳＴ１１０）。
【０４８５】
最後に、ＰＧ＃５に対して仮消去フラグＴＥが設定され（ステップＳＴ１１２）、図４２の処理は終了する。
【０４８６】
図４２の処理がなされる前の図４１のプログラムＰＧ＃２は、静止画Ｂ１〜Ｂ１６２の全てが消去されない（再生はできる）状態であった。
【０４８７】
これに対し、図４２の処理がなされた後の図４１のプログラムＰＧ＃２では、消去されない（再生はできる）状態の静止画はＢ１〜Ｂ８０だけとなり、残りの静止画Ｂ８１〜Ｂ１６２は、必要に応じて消去できる（再生もできる）状態に変更されたことになる。
【０４８８】
さらに、図４２の処理がなされた後の図４１のプログラムＰＧ＃２では、静止画Ｂ１００〜Ｂ１６２およびＣ１〜Ｃ９が、仮消去状態（再生されない状態であり、プロテクトされていないので本消去も可能な状態）とされる。
【０４８９】
ここで、前述した実施の形態におけるポイントをまとめておく：
＜０１＞１ＶＯＢ＝複数の静止画情報あるいは１ＰＴＴ＝複数の静止画情報；
＜０２＞１ＶＯＢ＝複数の静止画記録のときに、記録媒体の空き領域に少なくとも２枚の静止画情報を連続して記録する；
＜０３＞セル情報（図２３または図２４のＳ＿ＣＩ）で複数枚の連続した静止画情報を指定可能＞
＜０４＞ＶＯＢＵマップまたはＶＯＢマップの存在；
＜０５＞セル情報（Ｓ＿ＣＩ）で指定される対象物はＶＯＢ内の個々の静止画；
・再生時に個々の静止画そのものを指定できるので（ＶＯＢＵマップまたはＶＯＢマップを用いて）、高速にアクセスが行え、複数の静止画を順次表示する場合などにシームレスな表示（流れがスムースなスライドショーなど）が可能となる。
【０４９０】
・再生時に個々の静止画そのものを指定できるので、再生時の管理が非常に容易となり、図１１のように画面に一度に複数枚の静止画を表示する時などの処理が簡単となる。
【０４９１】
＜０６＞セル情報（Ｓ＿ＣＩ）で異なるＶＯＢ内の静止画情報をマルチ指定可能；
・１個のＶＯＢ内の連続した音声情報を別のＶＯＢの表示の時に利用できるため、表現方法に幅が生まれる。
【０４９２】
・１個のＶＯＢ内の連続した音声情報を別のＶＯＢの表示の時に利用できるため、データの兼用化が図れ、情報記憶媒体（光ディスク１００１）に記録すべきデータ量を削減できる。その結果、１枚の情報記憶媒体に記録可能なデータ量が、実質的な意味あいにおいて、大幅に増す。
【０４９３】
・既に記録してある映像情報に対してビデオオブジェクト１０１２自体を一切加工する事無く、対応したピクチャオブジェクト用ビデオオブジェクト情報を新規作成するだけで、既にある映像情報を静止画情報として組み合わせて使う事ができる。
【０４９４】
＜０７＞セル情報（Ｓ＿ＣＩ）を再生し、ＶＯＢＩを利用して静止画を再生する；
・ピクチャオブジェクト１０１３の内容の管理情報であるピクチャオブジェクト用ビデオオブジェクト情報とは独立して、ピクチャオブジェクト用セル再生情報を設定できる。このため、情報記憶媒体（光ディスク１００１）における静止画の記録順に関係なく再生順を指定できるため、表現の自由度が飛躍的に向上する。
【０４９５】
＜０８＞静止画情報、音声情報をメモリ読み取りし、両者を同時に再生する装置＞
・異なるＶＯＢ内静止画情報をマルチ指定する場合や、複数枚の静止画の音声情報だけがまとめて別の領域に記録されていた場合、１枚の静止画毎にその都度Ｖ_ＰＣＫ、ＳＰ_ＰＣＫ、Ａ_ＰＣＫを順次再生していたのではアクセス頻度が非常に多くなり、複数枚の静止画を順次表示する場合に（図示しない光学ヘッドのアクセス待ち時間の影響を受けて）連続表示が難しくなる。
【０４９６】
それに対して、Ｖ_ＰＣＫ、ＳＰ_ＰＣＫ、Ａ_ＰＣＫのうち、いずれかに対して少なくとも２枚分の情報を一度に再生し、図１９のメモリ１５６３に一時保存し、残りの情報再生時に同時に表示すれば、光学ヘッドのアクセス頻度が大幅に低下し、連続表示が容易になる。
【０４９７】
＜０９＞既記録静止画への付加情報をまとめて記録するアフレコ記録装置；
・例えば音声入力機能を持たないデジタルカメラで撮影した静止画情報をそのまま情報記憶媒体（光ディスク１００１）に記録すると、その記録結果は、オーディオパック（Ａ_ＰＣＫ）を含まない構造になる。
【０４９８】
その情報を再生し、図１１のように画面表示させながら１枚１枚の静止画に対して解説やコメントを“マイクによる音声入力”“手書きによるマークの重ね書き”“キーインによるテキスト情報の追加”などの方法により追加する場合を考える。この場合、記録フォーマットを、Ａ_ＰＣＫを含まない構造からＡ_ＰＣＫを含む構造に変化させようとすると情報記憶媒体上への記録のやり直し処理が発生し、処理が面倒になるとともに、処理時間が大幅に掛かってしまう。
【０４９９】
それに対し、Ａ_ＰＣＫを含まないデータに手を加える事無く、追加情報のみを別ＶＯＢにして情報記憶媒体上に記録すれば、静止画に対する後での情報追加処理が、非常に簡単かつ短時間で行える。
【０５００】
以上説明したように、この発明の実施の形態に係る管理システムによれば、
（１）ＤＶＤビデオに類似のデータ構造を採用できるので、ＤＶＤビデオとある程度の互換性・継続性を確保できる；
（２）動画と静止画との間で類似のデータ構造を採用できるので、記録フォーマットおよび管理情報の一貫性あるいは継続性を確保できる；
（３）複数の静止画情報を取り扱うデジタル情報の保護および仮消去の管理ができる。
【０５０１】
なお、この発明は前述した実施の形態に限定されるものではなく、現在または将来の実施段階では、その時点で利用可能な技術に基づき、その要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【０５０２】
【図１】この発明の一実施の形態に係る情報記録媒体のデータ構造を説明する図；
【図２】図１の媒体のデータエリアに格納されるデータファイルのディレクトリ構造を説明する図；
【図３】図２のＡＶファイル内のデータ構造を説明する図；
【図４】ＡＶファイルデータのビデオオブジェクトＶＯＢが図１の媒体上に記録された場合の配列（記録場所）の一例を説明する図；
【図５】アロケーションマップテーブル内のデータ構造を説明する図；
【図６】プログラムチェーン制御情報（たとえばユーザ定義のＰＧＣ情報テーブルＵＤ＿ＰＧＣＩＴ）内のデータ構造を説明する図；
【図７】プログラムチェーンＰＧＣに基づく映像情報（セル情報）の再生例を説明する図；
【図８】管理情報（ビデオタイトルセット情報ＶＴＳＩまたはビデオのリアルタイムレコーディングのための管理情報ＲＴＲ＿ＶＭＧＩ）のデータ構造を説明する図；
【図９】ビデオオブジェクト情報（動画用のＭ＿ＶＯＢＩまたは静止画用のＳ＿ＶＯＧＩ）に従ったビデオオブジェクトＶＯＢの配列順を説明する図；
【図１０】静止画用のピクチャオブジェクト／オーディオオブジェクトの記録フォーマットを説明する図；
【図１１】図１の媒体から再生されたピクチャオブジェクトデータ（静止画）の画面表示例を示す図；
【図１２】図８の静止画用ＡＶファイル（Ｓ＿ＡＶＦＩＴ）内においてビデオオブジェクトに関する情報のデータ構造を説明する図；
【図１３】ピクチャオブジェクト内のビデオオブジェクトユニットＶＯＢＵのデータ構造（図９のＳ＿ＶＯＧＩに関係したデータ構造）を説明する図；
【図１４】静止画が連続的に配列された場合におけるＶＯＢ内データ構造と、それに対応したセルの指定内容との間の関係を説明する図；
【図１５】ピクチャオブジェクトのセル再生情報（静止画用セル情報Ｓ＿ＣＩ）のデータ構造、および、このセル再生情報の内容と図１４の図示要素との対応関係を例示する図；
【図１６】ピクチャオブジェクトのセル再生情報（セル情報ＣＩ）の他のデータ構造を例示する図；
【図１７】静止画用ＡＶファイル情報（Ｓ＿ＡＶＦＩ）内において、静止画に関するパートオブタイトル（チャプタ）情報のデータ構造を説明する図；
【図１８】図１７に示されたピクチャオブジェクトのＶＯＢマップのデータ構造を説明する図；
【図１９】図１の媒体（ビデオのリアルタイム記録・再生が可能なＤＶＤ＿ＲＴＲディスク）を用いたデジタルビデオ録画再生装置（ＲＴＲビデオレコーダ）の構成例を示すブロック図；
【図２０】１以上の静止画を図１の媒体に記録する手順を説明するフローチャート図；
【図２１】１以上の静止画を図１の媒体から再生する手順を説明するフローチャート図；
【図２２】図１の媒体にオーディオ情報をアフターレコーディングする場合の手順を説明するフローチャート図；
【図２３】図１または図８の制御情報／ナビゲーションデータ（ＲＴＲ＿ＶＭＧ）のデータ構造を説明する図；
【図２４】図２３の静止画セル情報（Ｓ＿ＣＩ）の内容を説明する図；
【図２５】図２４の静止画セル一般情報（Ｓ＿Ｃ＿ＧＩ）の内容を説明する図；
【図２６】図２４の各静止画セルエントリポイント情報（Ｓ＿Ｃ＿ＥＰＩ）の内容を説明する図；
【図２７】図１２の静止画用付加オーディオファイル情報（Ｓ＿ＡＡＦＩ）の内容を説明する図；
【図２８】図２７のＳ＿ＡＡＧの一般情報（Ｓ＿ＡＡＧ＿ＧＩ）の内容を説明する図；
【図２９】図２７の付加オーディオエントリ（ＡＡ＿ＥＮＴ）の内容を説明する図；
【図３０】図１２の静止画用ＶＯＢグループ一般情報（Ｓ＿ＶＯＧ＿ＧＩ）の内容を説明する図；
【図３１】図１２の静止画用ＶＯＢエントリ（Ｓ＿ＶＯＢ＿ＥＮＴ）の内容の第１の例（タイプ１）を説明する図；
【図３２】図１２の静止画用ＶＯＢエントリ（Ｓ＿ＶＯＢ＿ＥＮＴ）の内容の第２の例（タイプ２）を説明する図；
【図３３】図１２の静止画用ＶＯＢエントリ（Ｓ＿ＶＯＢ＿ＥＮＴ）の内容の第３の例（タイプ３）を説明する図；
【図３４】図１２の静止画用ＶＯＢエントリ（Ｓ＿ＶＯＢ＿ＥＮＴ）の内容の第４の例（タイプ４）を説明する図；
【図３５】静止画ＶＯＢだけが記録される場合の、オリジナルＰＧＣ情報（図８または図２３のＯＲＧ＿ＰＧＣＩ）と静止画ビデオファイル（図２のＲＴＲ＿ＳＴＯ．ＶＲＯ）との関係を説明する図；
【図３６】オリジナルＰＧＣ情報（ＯＲＧ＿ＰＧＣＩ）と静止画の付加オーディオ部分（図２のＲＴＲ＿ＳＴＡ．ＶＲＯ）との関係を説明する図；
【図３７】静止画ＶＯＢおよびムービーＶＯＢとオリジナルＰＧＣ情報との関係を説明する図；
【図３８】ユーザ定義ＰＧＣ情報（図６）が静止画ＶＯＢグループを参照する場合を説明する図；
【図３９】プログラムを保護するプロテクト情報およびその格納場所を説明する図；
【図４０】静止画の仮消去フラグ（ＴＥ）およびその格納場所を説明する図；
【図４１】保護されたプログラムＰＧ＃２の一部が消去可能状態および仮消去状態に設定し直された場合を説明する図；
【図４２】保護されたプログラムＰＧ＃２の一部を消去可能状態および仮消去状態に設定し直す手順の一例を説明するフローチャート図。
【符号の説明】
【０５０３】
１００１…書替可能光ディスク（ＤＶＤ＿ＲＴＲディスク）；１００９…オーディオ＆ビデオデータエリア（ＡＶデータエリア）；１０１１…制御情報（ＲＴＲ．ＩＦＯ）；１０１２…ビデオオブジェクト（ＶＯＢまたはＲＴＲ＿ＭＯＶ．ＶＲＯ）；１０１３…ピクチャオブジェクト（ＲＴＲ＿ＳＴＯ．ＶＲＯ）；１０１４…オーディオオブジェクト（ＲＴＲ＿ＳＴＡ．ＶＲＯ）；１１０１…ＡＶデータ制御情報（ＲＴＲ＿ＶＭＧ）；１０２１…再生制御情報（ＲＴＲ＿ＶＭＧ）；１１０５…アロケーションマップテーブル；１１０６…ビデオタイトルセット情報（ＶＴＳＩまたはＲＴＲ＿ＶＭＧＩ）；１１０７…ビデオオブジェクト情報（Ｍ＿ＡＶＦＩＴまたはＳ＿ＡＶＦＩＴ）；１１０３…ＰＧＣ制御情報（ＯＲＧ＿ＰＧＣＩまたはＵＤ＿ＰＧＣＩＴ）；１１０８…セル再生情報（Ｍ＿ＣＩまたはＳ＿ＣＩ）；１５００…ディスクチェンジャ部（ディスクドライブ部）；１５３０…システム制御部；１５５０…エンコーダ部；１５６０…デコーダ部１０１…情報記録再生部。
【図１】
0004837005.tif 000002
【図２】
0004837005.tif 000003
【図３】
0004837005.tif 000004
【図４】
0004837005.tif 000005
【図５】
0004837005.tif 000006
【図６】
0004837005.tif 000007
【図７】
0004837005.tif 000008
【図８】
0004837005.tif 000009
【図９】
0004837005.tif 000010
【図１０】
0004837005.tif 000011
【図１１】
0004837005.tif 000012
【図１２】
0004837005.tif 000013
【図１３】
0004837005.tif 000014
【図１４】
0004837005.tif 000015
【図１５】
0004837005.tif 000016
【図１６】
0004837005.tif 000017
【図１７】
0004837005.tif 000018
【図１８】
0004837005.tif 000019
【図１９】
0004837005.tif 000020
【図２０】
0004837005.tif 000021
【図２１】
0004837005.tif 000022
【図２２】
0004837005.tif 000023
【図２３】
0004837005.tif 000024
【図２４】
0004837005.tif 000025
【図２５】
0004837005.tif 000026
【図２６】
0004837005.tif 000027
【図２７】
0004837005.tif 000028
【図２８】
0004837005.tif 000029
【図２９】
0004837005.tif 000030
【図３０】
0004837005.tif 000031
【図３１】
0004837005.tif 000032
【図３２】
0004837005.tif 000033
【図３３】
0004837005.tif 000034
【図３４】
0004837005.tif 000035
【図３５】
0004837005.tif 000036
【図３６】
0004837005.tif 000037
【図３７】
0004837005.tif 000038
【図３８】
0004837005.tif 000039
【図３９】
0004837005.tif 000040
【図４０】
0004837005.tif 000041
【図４１】
0004837005.tif 000042
【図４２】
0004837005.tif 000043